(57)【要約】【課題】誤認識した伝票を見つけやすくすること。【解決手段】設定装置１００は、所定の金融機関によって受け付けられた複数の伝票の各々の伝票１０１〜１０３に手書き入力された文字列の認識結果および認識率を取得する。そして、設定装置１００は、各々の伝票１０１〜１０３に手書き入力された文字列の認識率に基づいて、自行宛の伝票であると判断された伝票１０１〜１０３の処理順序を設定する。これにより、設定装置１００は、自行宛の伝票と間違えた他行宛の伝票を発見しやすくして、他行宛の伝票について振込処理の期限超過の発生を抑制することができる。【選択図】図１
2015219535.tif 000002
【特許請求の範囲】
【請求項１】
コンピュータが、
複数の伝票の各々に手書き入力された振込先を示す文字列の認識結果と認識率とに基づいて、前記複数の伝票のうちの少なくとも所定の金融機関を振込先と判断した伝票の処理順序を設定する、
処理を実行することを特徴とする設定方法。
【請求項２】
前記設定する処理は、
前記文字列の認識結果から前記複数の伝票を受け付けた金融機関を振込先と判断した伝票のうち、文字列の認識率が低い伝票の処理順序を、文字列の認識率が高い伝票の処理順序よりも早くなるように設定することを特徴とする請求項１に記載の設定方法。
【請求項３】
前記設定する処理は、
前記文字列の認識結果から前記複数の伝票を受け付けた金融機関を振込先と判断した伝票のうち、文字列の認識率が所定値より低い伝票の処理順序を、文字列の認識率が前記所定値より高い伝票の処理順序よりも早くなるように設定することを特徴とする請求項１に記載の設定方法。
【請求項４】
前記振込先を示す文字列は、振込先の金融機関と振込先の口座とを示す文字列を含み、
前記設定する処理は、
前記文字列の認識結果から前記複数の伝票を受け付けた金融機関を振込先と判断した伝票のうち、前記複数の伝票を受け付けた金融機関に存在しない口座を振込先と判断した伝票の処理順序を、前記複数の伝票を受け付けた金融機関に存在する口座を振込先と判断した伝票の処理順序よりも早くなるように設定することを特徴とする請求項１〜３のいずれか一つに記載の設定方法。
【請求項５】
前記設定する処理は、
前記文字列の認識結果から前記複数の伝票を受け付けた金融機関とは異なる金融機関を振込先と判断した伝票を、文字列の認識結果から前記複数の伝票を受け付けた金融機関を振込先と判断した伝票よりも早い処理順序に設定することを特徴とする請求項１〜４のいずれか一つに記載の設定方法。
【請求項６】
前記設定する処理は、
前記文字列の認識結果から前記複数の伝票を受け付けた金融機関とは異なる金融機関を振込先と判断した伝票のうち、文字列の認識率が高い伝票の処理順序を、文字列の認識率が低い伝票の処理順序よりも早くなるように設定することを特徴とする請求項１〜５のいずれか一つに記載の設定方法。
【請求項７】
前記設定する処理は、
前記文字列の認識結果から前記複数の伝票を受け付けた金融機関とは異なる金融機関を振込先と判断した伝票のうち、文字列の認識率が所定値より高い伝票の処理順序を、文字列の認識率が前記所定値より低い伝票の処理順序よりも早くなるように設定することを特徴とする請求項１〜６のいずれか一つに記載の設定方法。
【請求項８】
前記振込先を示す文字列は、振込先の金融機関と振込先の口座とを示す文字列を含み、
前記設定する処理は、
前記文字列の認識結果から前記複数の伝票を受け付けた金融機関とは異なる金融機関に存在する口座を振込先と判断した伝票のうち、前記異なる金融機関に存在する口座を振込先と判断した伝票の処理順序を、前記異なる金融機関に存在しない口座を振込先と判断した伝票の処理順序よりも早くなるように設定することを特徴とする請求項１〜７のいずれか一つに記載の設定方法。
【請求項９】
コンピュータに、
複数の伝票の各々に手書き入力された振込先を示す文字列の認識結果と認識率とに基づいて、前記複数の伝票のうちの少なくとも所定の金融機関を振込先と判断した伝票の処理順序を設定する、
処理を実行させることを特徴とする設定プログラム。
【請求項１０】
複数の伝票の各々に手書き入力された振込先を示す文字列の認識結果と認識率とに基づいて、前記複数の伝票のうちの少なくとも所定の金融機関を振込先と判断した伝票の処理順序を設定する制御部を有することを特徴とする設定システム。
【発明の詳細な説明】
【技術分野】
【０００１】
本発明は、設定方法、設定プログラム、および設定システムに関する。
【背景技術】
【０００２】
従来、金融機関において、窓口業務用のコンピュータは、顧客が振込処理の伝票の記入欄に手書きで記入した文字を処理するために、伝票の記入欄の文字をＯＣＲ（Ｏｐｔｉｃａｌ  Ｃｈａｒａｃｔｅｒ  Ｒｅａｄｅｒ）によって文字認識して文字データを取得する。関連する技術としては、例えば、伝票の処理優先度を判断し、複数の処理優先度に区分し、処理優先度を含む伝票情報をキューに格納する場合には、当該伝票情報を当該処理優先度と同じ処理優先度の最後に挿入するものがある。
【先行技術文献】
【特許文献】
【０００３】
【特許文献１】特開２００１−２３６４５２号公報
【発明の概要】
【発明が解決しようとする課題】
【０００４】
しかしながら、上述した従来技術では、文字認識の結果、伝票に記入された振込先を誤認識した際、優先して処理すべき伝票を間違ってしまうことがある。
【０００５】
１つの側面では、本発明は、誤認識した伝票を見つけやすくすることができる設定方法、設定プログラム、および設定システムを提供することを目的とする。
【課題を解決するための手段】
【０００６】
本発明の一側面によれば、複数の伝票の各々に手書き入力された振込先を示す文字列の認識結果と認識率とに基づいて、前記複数の伝票のうちの少なくとも所定の金融機関を振込先と判断した伝票の処理順序を設定する設定方法、設定プログラム、および設定システムが提案される。
【発明の効果】
【０００７】
本発明の一態様によれば、誤認識した伝票を見つけやすくすることができるという効果を奏する。
【図面の簡単な説明】
【０００８】
【図１】図１は、設定装置１００の順序設定の一例を示す説明図である。
【図２】図２は、金融システム２００の構成例を示す説明図である。
【図３】図３は、設定装置１００のハードウェア構成例を示すブロック図である。
【図４】図４は、設定装置１００の機能的構成例を示すブロック図である。
【図５】図５は、自行で受け付けた伝票５００の記入内容の一例を示す説明図（その１）である。
【図６】図６は、自行で受け付けた伝票５００の記入内容の一例を示す説明図（その２）である。
【図７】図７は、設定動作例１の内容を示す説明図である。
【図８】図８は、設定動作例１における自行宛の伝票であるか他行宛の伝票であるかの判断の一例を示す説明図である。
【図９】図９は、設定動作例１における認識率に基づく指標値の算出の一例を示す説明図である。
【図１０】図１０は、設定動作例１における各々の伝票の処理順序の設定の一例を示す説明図である。
【図１１】図１１は、設定動作例２の内容を示す説明図である。
【図１２】図１２は、設定動作例２における認識率に基づく指標値の算出の一例を示す説明図である。
【図１３】図１３は、設定動作例２における各々の伝票の処理順序の設定の一例を示す説明図である。
【図１４】図１４は、設定動作例３の内容を示す説明図である。
【図１５】図１５は、設定動作例３における各々の伝票の処理順序の設定の一例を示す説明図である。
【図１６】図１６は、設定動作例４の内容を示す説明図である。
【図１７】図１７は、設定動作例４における認識率に基づく指標値の算出の一例を示す説明図である。
【図１８】図１８は、設定動作例４における各々の伝票の処理順序の設定の一例を示す説明図である。
【図１９】図１９は、設定処理手順の一例を示すフローチャート（その１）である。
【図２０】図２０は、設定処理手順の一例を示すフローチャート（その２）である。
【図２１】図２１は、算出処理手順の一例を示すフローチャートである。
【発明を実施するための形態】
【０００９】
以下に添付図面を参照して、本発明にかかる設定方法、設定プログラム、および設定システムの実施の形態を詳細に説明する。
【００１０】
（設定装置１００の順序設定の一例）
図１は、設定装置１００の順序設定の一例を示す説明図である。図１において、設定装置１００は、本実施の形態にかかる設定プログラムを実行し、本実施の形態にかかる設定システムを実現するコンピュータである。
【００１１】
設定装置１００は、所定の金融機関によって受け付けられた複数の伝票の各々の伝票に手書き入力された文字列の認識結果および認識率を取得する。ここで、所定の金融機関によって受け付けられた複数の伝票には、所定の金融機関に対する振込処理を行うための伝票と、所定の金融機関とは異なる金融機関に対する振込処理を行うための伝票とが含まれる。認識率とは、文字列の認識結果の精度である。認識率とは、低いほど、文字列の認識結果の精度が悪いことを示す値である。認識率とは、例えば、認識結果の候補が複数あって認識結果を１つに決定しにくい場合に低くなる。
【００１２】
以下の説明では、所定の金融機関を「自行」と表記する場合がある。また、所定の金融機関とは異なる金融機関を「他行」と表記する場合がある。また、自行に対する振込処理を行うための伝票を「自行宛の伝票」と表記する場合がある。また、他行に対する振込処理を行うための伝票を「他行宛の伝票」と表記する場合がある。
【００１３】
このとき、伝票の種類によって伝票に対して振込処理を行う期限が異なることがある。例えば、自行宛の伝票に対して振込処理を行う期限と、他行宛の伝票に対して振込処理を行う期限とが、異なることがある。具体的には、自行宛の伝票に対して振込処理を行う期限よりも、他行宛の伝票に対して振込処理を行う期限の方が早いことがある。
【００１４】
一方で、文字列の認識結果から伝票の種類を間違って認識してしまうことがある。例えば、自行宛の伝票であると判断された伝票の中に、間違って自行宛の伝票であると判断された他行宛の伝票が含まれることがある。
【００１５】
これらのことから、間違って自行宛の伝票であると判断された他行宛の伝票について、自行宛の伝票の期限を適用してしまい、後回しにしてしまうことがある。結果として、間違って自行宛の伝票であると判断された他行宛の伝票について、振込処理の期限超過が発生してしまうことがある。
【００１６】
そこで、設定装置１００は、各々の伝票に手書き入力された文字列の認識率に基づいて、自行宛の伝票であると判断された伝票の処理順序を設定する。設定装置１００は、例えば、間違って自行宛の伝票であると判断された可能性が高い伝票から順に、処理順序を設定する。
【００１７】
これにより、設定装置１００は、間違って自行宛の伝票であると判断された可能性が高い伝票から順に処理対象にして、間違って自行宛の伝票であると判断された可能性が高い伝票を早期に発見しやすくすることができる。そして、設定装置１００は、他行宛の伝票について振込処理の期限超過の発生を抑制することができる。
【００１８】
図１の例では、所定の金融機関が、第１の伝票１０１と、第２の伝票１０２と、第３の伝票１０３とを順番に受け付けた場合を例に挙げて、設定装置１００による処理順序の設定について説明する。
【００１９】
設定装置１００は、第１の伝票１０１に手書き入力された文字列の認識結果と認識率「７０％」とを取得し、自行宛の伝票であると判断する。図１に示す「自」は、自行宛の伝票であると判断された伝票を示すマークである。
【００２０】
また、設定装置１００は、第２の伝票１０２に手書き入力された文字列の認識結果と認識率「８０％」とを取得し、自行宛の伝票であると判断する。また、設定装置１００は、第３の伝票１０３に手書き入力された文字列の認識結果と認識率「６０％」とを取得し、自行宛の伝票であると判断する。
【００２１】
次に、設定装置１００は、文字列の認識結果から自行宛の伝票であると判断された第１の伝票１０１と第２の伝票１０２と第３の伝票１０３とについて処理順序を設定する。設定装置１００は、例えば、文字列の認識率が低いほど処理順序が早くなるように、文字列の認識率の昇順に第１の伝票１０１と第２の伝票１０２と第３の伝票１０３とについて処理順序を設定する。
【００２２】
設定装置１００は、具体的には、文字列の認識率が最も低く、他行宛の伝票を自行宛の伝票と間違えた可能性が第１の伝票１０１と第２の伝票１０２と第３の伝票１０３との中では最も高い第３の伝票１０３の処理順序を１番目に設定する。
【００２３】
また、設定装置１００は、文字列の認識率が２番目に低く、他行宛の伝票を自行宛の伝票と間違えた可能性が第３の伝票１０３よりは低く、第２の伝票１０２よりは高い、第１の伝票１０１の処理順序を２番目に設定する。
【００２４】
また、設定装置１００は、文字列の認識率が３番目に低く、他行宛の伝票を自行宛の伝票と間違えた可能性が第１の伝票１０１と第２の伝票１０２と第３の伝票１０３との中では最も低い第２の伝票１０２の処理順序を３番目に設定する。
【００２５】
これにより、設定装置１００は、他行宛の伝票を自行宛の伝票と間違えた可能性が高い順に、自行宛の伝票であると判断された伝票の処理順序を設定することができる。このため、設定装置１００の利用者は、処理順序に従って各々の伝票に手書き入力された文字列を確認することにより、他行宛の伝票を自行宛の伝票と間違えた伝票があっても当該伝票を早期に発見しやすくなる。このように、設定装置１００は、自行宛の伝票と間違えた他行宛の伝票が後回しにされる可能性を低減して、伝票の期限超過の発生を抑制することができる。
【００２６】
ここでは、自行宛の伝票に対して振込処理を行う期限よりも、他行宛の伝票に対して振込処理を行う期限の方が早い場合を例に挙げて説明したが、これに限らない。例えば、自行宛の伝票に対して振込処理を行う期限よりも、他行宛の伝票に対して振込処理を行う期限の方が遅い場合であってもよい。この場合、設定装置１００は、伝票の処理順序を、図１の場合とは逆に設定する。
【００２７】
設定装置１００は、所定の金融機関に設けられたコンピュータによって実現されてもよいし、所定の金融機関に設けられたコンピュータと通信可能なコンピュータによって実現されてもよい。
【００２８】
（金融システム２００の構成例）
次に、図２を用いて、図１に示した設定装置１００を含む、金融システム２００の構成例について説明する。
【００２９】
図２は、金融システム２００の構成例を示す説明図である。図２において、金融システム２００は、設定装置１００と、情報処理装置２０１とを含む。設定装置１００と、情報処理装置２０１とは、ネットワーク２１０によって接続される。
【００３０】
ネットワーク２１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどの通信網である。設定装置１００は、例えば、ＰＣ（Ｐｅｒｓｏｎａｌ  Ｃｏｍｐｕｔｅｒ）、サーバなどである。情報処理装置２０１は、窓口業務のオペレータが使用するコンピュータである。情報処理装置２０１は、例えば、ＰＣ、ノートＰＣなどである。
【００３１】
ここでは、設定装置１００が、情報処理装置２０１とは異なる装置である場合について説明したが、これに限らない。例えば、いずれかの情報処理装置２０１が、設定装置１００としての機能を有し、自装置および他の情報処理装置２０１に対する出力制御を行ってもよい。また、各々の情報処理装置２０１が、設定装置１００としての機能を有し、自装置に対する出力制御を行ってもよい。
【００３２】
（設定装置１００のハードウェア構成例）
次に、設定装置１００のハードウェア構成例について説明する。
【００３３】
図３は、設定装置１００のハードウェア構成例を示すブロック図である。図３において、設定装置１００は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、を有する。
【００３４】
また、設定装置１００は、さらに、磁気ディスクドライブ（Ｈａｒｄ  Ｄｉｓｋ  Ｄｒｉｖｅ）３０４と、磁気ディスク３０５と、光ディスクドライブ３０６と、光ディスク３０７と、を有する。また、設定装置１００は、さらに、ディスプレイ３０８と、インターフェース（Ｉ／Ｆ：Ｉｎｔｅｒｆａｃｅ）３０９と、キーボード３１０と、マウス３１１と、スキャナ３１２と、プリンタ３１３と、を有する。また、各構成部はバス３００によってそれぞれ接続されている。
【００３５】
ここで、ＣＰＵ３０１は、設定装置１００の全体の制御を司る。ＲＯＭ３０２は、ブートプログラムなどのプログラムを記憶している。また、ＲＯＭ３０２は、振込先として、自行および他行の金融機関名と、当該金融機関における支店名と、当該金融機関において開設された口座の預金種目と、当該口座の口座番号との組み合わせを示す振込先データを記憶してもよい。また、ＲＯＭ３０２は、文字列の認識率に基づいて伝票の処理順序の指標値を算出するための算出式を記憶してもよい。
【００３６】
ＲＡＭ３０３は、ＣＰＵ３０１のワークエリアとして使用される。また、ＲＡＭ３０３は、複数の伝票の各々の伝票を読み込んで得られたイメージデータを記憶してもよい。また、ＲＡＭ３０３は、自行宛の伝票であるか否かの判断結果を記憶してもよい。また、ＲＡＭ３０３は、自行に存在する口座を振込先にする伝票であるか、自行に存在しない口座を振込先にする伝票であるかの判断結果を記憶してもよい。以下の説明では、自行に存在する口座を振込先にする伝票を「自行口座宛の伝票」と表記する場合がある。
【００３７】
また、ＲＡＭ３０３は、他行に存在する口座を振込先にする伝票であるか、他行に存在しない口座を振込先にする伝票であるかの判断結果を記憶してもよい。以下の説明では、他行に存在する口座を振込先にする伝票を「他行口座宛の伝票」と表記する場合がある。また、ＲＡＭ３０３は、文字列の認識率に基づいて算出される伝票の処理順序を設定するための指標値を記憶してもよい。また、ＲＡＭ３０３は、設定された伝票の処理順序を記憶してもよい。
【００３８】
磁気ディスクドライブ３０４は、ＣＰＵ３０１の制御に従って磁気ディスク３０５に対するデータのリード／ライトを制御する。磁気ディスク３０５は、磁気ディスクドライブ３０４の制御で書き込まれたデータを記憶する。
【００３９】
光ディスクドライブ３０６は、ＣＰＵ３０１の制御に従って光ディスク３０７に対するデータのリード／ライトを制御する。光ディスク３０７は、光ディスクドライブ３０６の制御で書き込まれたデータを記憶したり、光ディスク３０７に記憶されたデータをコンピュータに読み取らせたりする。
【００４０】
ディスプレイ３０８は、カーソル、アイコンあるいはツールボックスをはじめ、文書、画像、機能情報などのデータを表示する。ディスプレイ３０８は、例えば、液晶ディスプレイ、プラズマディスプレイなどである。
【００４１】
Ｉ／Ｆ３０９は、通信回線を通じてＬＡＮ、ＷＡＮ、インターネットなどのネットワーク２１０に接続され、ネットワーク２１０を介して他の装置に接続される。そして、Ｉ／Ｆ３０９は、ネットワーク２１０と内部のインターフェースを司り、外部装置からのデータの入出力を制御する。Ｉ／Ｆ３０９は、例えば、モデムやＬＡＮアダプタなどである。
【００４２】
キーボード３１０は、文字、数字、各種指示などの入力のためのキーを備え、データの入力を行う。また、タッチパネル式の入力パッドやテンキーなどであってもよい。マウス３１１は、カーソルの移動や範囲選択、あるいはウィンドウの移動やサイズの変更などを行う。設定装置１００は、例えば、キーボード３１０の代わりに、ポインティングデバイスとして同様に機能を備えるものであれば、トラックボールやジョイスティックなどを有してもよい。
【００４３】
スキャナ３１２は、画像を光学的に読み取り、設定装置１００内に画像データを取り込む。スキャナ３１２は、ＯＣＲ機能を有してもよい。また、プリンタ３１３は、画像データや文書データを印刷する。プリンタ３１３は、例えば、レーザプリンタやインクジェットプリンタである。
【００４４】
また、設定装置１００は、光ディスクドライブ３０６、光ディスク３０７、ディスプレイ３０８、キーボード３１０、マウス３１１、スキャナ３１２、およびプリンタ３１３の少なくともいずれか１つを、有していなくてもよい。
【００４５】
（情報処理装置２０１のハードウェア構成例）
情報処理装置２０１のハードウェア構成例は、図３に示した設定装置１００のハードウェア構成例と同様のため、説明を省略する。
【００４６】
（設定装置１００の機能的構成例）
次に、図４を用いて、設定装置１００の機能的構成例について説明する。
【００４７】
図４は、設定装置１００の機能的構成例を示すブロック図である。設定装置１００は、制御部となる機能として、受付部４０１と、設定部４０２と、出力部４０３と、を含む。
【００４８】
受付部４０１は、伝票を読み込んで得られたイメージデータを受け付け、伝票に受付番号を付与する。受付部４０１は、例えば、Ｉ／Ｆ３０９を介して、情報処理装置２０１が伝票を読み込んで得たイメージデータを、情報処理装置２０１から受信する。これにより、設定部４０２は、受付部４０１によって受け付けられたイメージデータから、伝票に手書き入力された振込先を示す文字列の認識結果と認識率を取得することができる。
【００４９】
また、受付部４０１は、例えば、Ｉ／Ｆ３０９を介して、情報処理装置２０１が伝票に手書き入力された振込先を示す文字列を文字認識して得た認識結果と認識率とを、情報処理装置２０１から受信してもよい。これにより、設定部４０２は、受付部４０１によって受け付けられた認識結果と認識率とを取得することができる。
【００５０】
受け付けられたデータは、例えば、図３に示したＲＡＭ３０３、磁気ディスク３０５、光ディスク３０７などの記憶領域に記憶される。受付部４０１は、例えば、図３に示したＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０９により、その機能を実現する。
【００５１】
設定部４０２は、複数の伝票の各々の伝票に手書き入力された振込先を示す文字列の認識結果と認識率とに基づいて、複数の伝票のうちの少なくとも所定の金融機関を振込先と判断した伝票の処理順序を設定する。設定部４０２は、例えば、後述する第１の処理例〜第７の処理例のいずれかを行う。
【００５２】
ここで、振込先の文字列とは、少なくとも振込先の金融機関を示す文字列を含む文字列である。振込先の文字列とは、振込先の口座を示す文字列として、振込先の金融機関における支店名と種目と口座番号との組み合わせを示す文字列を含む文字列であってもよい。
【００５３】
認識結果とは、振込先を示す文字列を文字認識して得られる文字データである。認識率とは、振込先を示す文字列を文字認識して得られる値である。所定の金融機関とは、伝票の振込処理を行う金融機関である。所定の金融機関とは、例えば、複数の伝票を受け付けた金融機関である。所定の金融機関とは、具体的には、自行である。
【００５４】
〈第１の処理例〉
設定部４０２は、例えば、文字列の認識結果から複数の伝票を受け付けた金融機関を振込先と判断した伝票のうち、文字列の認識率が低い伝票の処理順序を、文字列の認識率が高い伝票の処理順序よりも早くなるように設定する。
【００５５】
設定部４０２は、具体的には、複数の伝票の各々の伝票について、文字列の認識結果に含まれる金融機関名と、自行の金融機関名との一致判断を行う。このとき、設定部４０２は、一致すると判断した伝票を、自行宛の伝票であると判断する。また、設定部４０２は、一致しないと判断した伝票を、自行宛の伝票ではなく他行宛の伝票であると判断する。
【００５６】
次に、設定部４０２は、自行宛の伝票であると判断した各々の伝票について、処理順序を設定するための指標値として、１００−金融機関名の認識率を算出する。そして、設定部４０２は、自行宛の伝票であると判断した各々の伝票の処理順序を、指標値の大きい伝票の処理順序の方が指標値の小さい伝票の処理順序よりも早くなるように、設定する。
【００５７】
指標値は、例えば、（１００−金融機関名の認識率）＋（１００−支店名の認識率）であってもよい。指標値は、（１００−金融機関名の認識率）＋（１００−支店名の認識率）＋｛０．１×（１００−種目の認識率）｝＋｛０．１×（１００−支店名の認識率）｝であってもよい。
【００５８】
指標値は、金融機関名に重みを付けて算出されてもよい。指標値は、例えば、｛２×（１００−金融機関名の認識率）｝＋（１００−支店名の認識率）＋｛０．１×（１００−種目の認識率）｝＋｛０．１×（１００−支店名の認識率）｝であってもよい。このように、金融機関名に重みを付けることにより、自行宛の伝票であるか他行宛の伝票であるかを重点的に判断することができる。
【００５９】
これにより、設定部４０２は、文字列の認識率が低い順に、自行宛の伝票であると判断した各々の伝票の処理順序を設定することができる。ここで、文字列の認識率が低いことは、他行宛の伝票を自行宛の伝票と間違えた可能性が高いことに対応する。したがって、換言すれば、設定部４０２は、他行宛の伝票を自行宛の伝票と間違えた可能性が高い順に、自行宛の伝票であると判断した各々の伝票の処理順序を設定することができる。
【００６０】
このため、設定装置１００の利用者は、処理順序に従って各々の伝票に手書き入力された文字列を確認することにより、自行宛の伝票であると判断された伝票の中に他行宛の伝票を自行宛の伝票と間違えた伝票があっても当該伝票を早期に発見しやすくなる。
【００６１】
〈第２の処理例〉
設定部４０２は、例えば、文字列の認識結果から複数の伝票を受け付けた金融機関を振込先と判断した伝票のうち、文字列の認識率が所定値より低い伝票の処理順序を、文字列の認識率が所定値より高い伝票の処理順序よりも早くなるように設定する。
【００６２】
設定部４０２は、具体的には、第１の処理例と同様に、自行宛の伝票であるか他行宛の伝票であるかを判断し、自行宛の伝票であると判断した各々の伝票について指標値を算出する。そして、設定部４０２は、自行宛の伝票であると判断した各々の伝票の処理順序を、指標値が所定値より大きい伝票の処理順序の方が指標値が所定値より小さい伝票の処理順序よりも早くなるように、設定する。
【００６３】
これにより、設定部４０２は、自行宛の伝票であると判断した伝票のうち、他行宛の伝票を自行宛の伝票と間違えた可能性が高い伝票のグループと、他行宛の伝票を自行宛の伝票と間違えた可能性が低い伝票のグループとに分けることができる。このため、設定装置１００の利用者は、処理順序に従って、他行宛の伝票を自行宛の伝票と間違えた可能性が高い伝票のグループに含まれる各々の伝票に手書き入力された文字列を確認することができる。そして、設定装置１００の利用者は、他行宛の伝票を自行宛の伝票と間違えた伝票があっても、当該伝票を早期に発見しやすくなる。
【００６４】
〈第３の処理例〉
設定部４０２は、例えば、文字列の認識結果から複数の伝票を受け付けた金融機関を振込先と判断した伝票が、複数の伝票を受け付けた金融機関に存在する口座を振込先とするか否かを判断する。そして、設定部４０２は、複数の伝票を受け付けた金融機関に存在しない口座を振込先と判断した伝票の処理順序を、複数の伝票を受け付けた金融機関に存在する口座を振込先と判断した伝票の処理順序よりも早くなるように設定する。
【００６５】
設定部４０２は、具体的には、第１の処理例と同様に、自行宛の伝票であるか他行宛の伝票であるかを判断する。次に、設定部４０２は、自行宛の伝票であると判断した各々の伝票について、文字列の認識結果に含まれる支店名と種目と口座番号との組み合わせと、自行の支店名と種目と口座番号との組み合わせとの一致判断を行う。
【００６６】
このとき、設定部４０２は、一致すると判断した伝票を、自行宛の伝票であり、かつ、自行口座宛の伝票であると判断する。また、設定部４０２は、一致しないと判断した伝票を、自行宛の伝票であるが、自行口座宛の伝票ではないと判断する。
【００６７】
そして、設定部４０２は、自行宛の伝票であると判断した各々の伝票の処理順序を、自行宛の伝票であるが、自行口座宛の伝票ではないと判断した伝票の処理順序の方が、自行口座宛の伝票であると判断した伝票の処理順序よりも早くなるように、設定する。
【００６８】
これにより、設定部４０２は、自行に存在しない口座を振込先にしている伝票の処理順序を、自行に存在する口座を振込先にしている伝票よりも早くなるように、自行宛の伝票であると判断した各々の伝票の処理順序を設定することができる。このため、設定装置１００の利用者は、処理順序に従って、各々の伝票に手書き入力された文字列を確認することにより、自行宛の伝票であると判断された伝票の中に他行宛の伝票を自行宛の伝票と間違えた伝票があっても、当該伝票を早期に発見しやすくなる。
【００６９】
〈第４の処理例〉
設定部４０２は、例えば、文字列の認識結果から複数の伝票を受け付けた金融機関とは異なる金融機関を振込先と判断した伝票を、文字列の認識結果から複数の伝票を受け付けた金融機関を振込先と判断した伝票よりも早い処理順序に設定する。ここで、異なる金融機関とは、例えば、他行である。
【００７０】
設定部４０２は、具体的には、第１の処理例と同様に、自行宛の伝票であるか他行宛の伝票であるかを判断する。そして、設定部４０２は、複数の伝票の各々の伝票の処理順序を、他行宛の伝票であると判断した伝票の処理順序が、自行宛の伝票であると判断した伝票の処理順序よりも早くなるように、設定する。
【００７１】
これにより、設定部４０２は、他行宛の伝票の処理順序が、自行宛の伝票の処理順序よりも早くなるように、複数の伝票の各々の伝票の処理順序を設定することができる。このため、設定装置１００の利用者は、処理順序に従って、各々の伝票に手書き入力された文字列を確認することにより、他行宛の伝票に対して自行宛の伝票よりも早期に振込処理を行いやすくなる。
【００７２】
〈第５の処理例〉
設定部４０２は、例えば、文字列の認識結果から複数の伝票を受け付けた金融機関とは異なる金融機関を振込先と判断した伝票のうち、文字列の認識率が高い伝票の処理順序を、文字列の認識率が低い伝票の処理順序よりも早くなるように設定する。
【００７３】
設定部４０２は、具体的には、第１の処理例と同様に、自行宛の伝票であるか他行宛の伝票であるかを判断する。次に、設定部４０２は、他行宛の伝票であると判断した各々の伝票について、処理順序を設定するための指標値として、１００−金融機関名の認識率を算出する。そして、設定部４０２は、他行宛の伝票であると判断した各々の伝票の処理順序を、指標値の小さい伝票の処理順序の方が指標値の大きい伝票の処理順序よりも早くなるように、設定する。
【００７４】
指標値は、例えば、（１００−金融機関名の認識率）＋（１００−支店名の認識率）であってもよい。指標値は、（１００−金融機関名の認識率）＋（１００−支店名の認識率）＋｛０．１×（１００−種目の認識率）｝＋｛０．１×（１００−支店名の認識率）｝であってもよい。
【００７５】
指標値は、金融機関名に重みを付けて算出されてもよい。指標値は、例えば、｛２×（１００−金融機関名の認識率）｝＋（１００−支店名の認識率）＋｛０．１×（１００−種目の認識率）｝＋｛０．１×（１００−支店名の認識率）｝であってもよい。
【００７６】
これにより、設定部４０２は、文字列の認識率が高く、自行宛の伝票を他行宛の伝票と間違えた可能性が低い順に、他行宛の伝票であると判断した各々の伝票の処理順序を設定することができる。このため、設定装置１００の利用者は、処理順序に従って、各々の伝票に手書き入力された文字列を確認することにより、他行宛の伝票であると判断された伝票の中に自行宛の伝票を他行宛の伝票と間違えた伝票があっても、当該伝票を後回しにしやすくなる。
【００７７】
〈第６の処理例〉
設定部４０２は、例えば、文字列の認識結果から複数の伝票を受け付けた金融機関とは異なる金融機関を振込先とするか否かを判断する。そして、設定部４０２は、異なる金融機関を振込先と判断した伝票のうち、文字列の認識率が所定値より高い伝票の処理順序を、文字列の認識率が所定値より低い伝票の処理順序よりも早くなるように設定する。
【００７８】
設定部４０２は、具体的には、第５の処理例と同様に、自行宛の伝票であるか他行宛の伝票であるかを判断し、他行宛の伝票であると判断した各々の伝票について指標値を算出する。そして、設定部４０２は、他行宛の伝票であると判断した各々の伝票の処理順序を、指標値が所定値より小さい伝票の処理順序の方が指標値が所定値より大きい伝票の処理順序よりも早くなるように、設定する。
【００７９】
これにより、設定部４０２は、他行宛の伝票であると判断した伝票のうち、自行宛の伝票を他行宛の伝票と間違えた可能性が低い伝票のグループと、自行宛の伝票を他行宛の伝票と間違えた可能性が高い伝票のグループとに分けることができる。このため、設定装置１００の利用者は、処理順序に従って、自行宛の伝票を他行宛の伝票と間違えた可能性が低い伝票のグループに含まれる各々の伝票に手書き入力された文字列を確認することができる。そして、設定装置１００の利用者は、自行宛の伝票を他行宛の伝票と間違えた伝票があっても、当該伝票を後回しにしやすくなる。
【００８０】
〈第７の処理例〉
設定部４０２は、例えば、文字列の認識結果から複数の伝票を受け付けた金融機関とは異なる金融機関に存在する口座を振込先とするか否かを判断する。そして、設定部４０２は、異なる金融機関に存在する口座を振込先と判断した伝票の処理順序を、異なる金融機関に存在しない口座を振込先と判断した伝票の処理順序よりも早くなるように設定する。
【００８１】
設定部４０２は、具体的には、第１の処理例と同様に、自行宛の伝票であるか他行宛の伝票であるかを判断する。次に、設定部４０２は、他行宛の伝票であると判断した各々の伝票について、文字列の認識結果に含まれる支店名と種目と口座番号との組み合わせと、他行の支店名と種目と口座番号との組み合わせとの一致判断を行う。
【００８２】
このとき、設定部４０２は、一致すると判断した伝票を、他行宛の伝票であり、かつ、他行口座宛の伝票であると判断する。また、設定部４０２は、一致しないと判断した伝票を、他行宛の伝票であるが、他行口座宛の伝票ではないと判断する。
【００８３】
そして、設定部４０２は、他行宛の伝票であると判断した各々の伝票の処理順序を、他行宛の伝票であるが、他行口座宛の伝票ではないと判断した伝票の処理順序の方が、他行口座宛の伝票であると判断した伝票の処理順序よりも早くなるように、設定する。
【００８４】
これにより、設定部４０２は、他行に存在しない口座を振込先にしている伝票の処理順序を、他行に存在する口座を振込先にしている伝票よりも早くなるように、他行宛の伝票であると判断した各々の伝票の処理順序を設定することができる。このため、設定装置１００の利用者は、処理順序に従って、各々の伝票に手書き入力された文字列を確認することにより、他行宛の伝票であると判断された伝票の中に自行宛の伝票を他行宛の伝票と間違えた伝票があっても、当該伝票を後回しにしやすくなる。
【００８５】
設定された処理順序は、例えば、図３に示したＲＡＭ３０３、磁気ディスク３０５、光ディスク３０７などの記憶領域に記憶される。設定部４０２は、例えば、図３に示したＲＯＭ３０２、ＲＡＭ３０３、磁気ディスク３０５、光ディスク３０７などの記憶装置に記憶されたプログラムをＣＰＵ３０１に実行させることにより、その機能を実現する。
【００８６】
ここでは、設定部４０２が、第１の処理例〜第７の処理例のいずれかを行う場合について説明したが、これに限らない。例えば、設定部４０２は、第１の処理例〜第７の処理例のうちのいくつかの処理例を組み合わせて行ってもよい。
【００８７】
出力部４０３は、設定された処理順序に基づいて、伝票に手書き入力された文字列の認識結果と、伝票のイメージデータとを対応付けて出力する。出力部４０３は、例えば、ディスプレイ３０８への表示、プリンタ３１３への印刷出力、Ｉ／Ｆ３０９による外部装置への送信を行う。また、出力部４０３は、ＲＡＭ３０３、磁気ディスク３０５、光ディスク３０７などの記憶領域に記憶してもよい。
【００８８】
これにより、設定装置１００の利用者は、出力部４０３によって出力された、伝票に手書き入力された文字列の認識結果と、伝票のイメージデータとを比較して、文字列の認識結果が正しいか否かを確認し、文字列の認識結果に誤りがあれば修正することができる。そして、設定装置１００の利用者は、伝票の振込処理を行うことができる。
【００８９】
（伝票５００の記入内容の一例）
次に、図５および図６を用いて、自行で受け付けた伝票５００の記入内容の一例について説明する。
【００９０】
図５および図６は、自行で受け付けた伝票５００の記入内容の一例を示す説明図である。図５において、伝票５００には、伝票５００の振込先記入欄を用いて、振込先として、金融機関を示す文字列「ＸＹ通」、振込先の金融機関の種類「銀行」、振込先の金融機関の支店を示す文字列「東京」が記入されている。
【００９１】
また、伝票５００には、振込先として、伝票５００の預金種目記入欄を用いて、預金の種目「普通」が記入されている。また、伝票５００には、振込先として、伝票５００の口座番号記入欄を用いて、口座番号「１２３４５６７」が記入されている。
【００９２】
また、伝票５００には、伝票５００の金額記入欄を用いて、右詰めで、金額「￥１５４３８００」が記入されている。また、伝票５００には、伝票５００の振込指定日記入欄を用いて、振込指定日「２１年０１月１９日」が記入されている。
【００９３】
また、伝票５００には、金額「￥１５４３８００」を受け取る受取人「株式会社  小林ＡＢＣ工業企画」、金額「￥１５４３８００」を振り込んだ依頼人「依頼  人太郎」と住所「東京都○○区○○町１−２−３」などが記入されている。
【００９４】
図６において、伝票５００には、伝票５００の振込先記入欄を用いて、振込先として、金融機関を示す文字列「ＸＹ宮」、振込先の金融機関の種類「銀行」、振込先の金融機関の支店を示す文字列「東京」が記入されている。ここで、金融機関を示す文字列「ＸＹ宮」の３文字目の「宮」は、伝票５００に手書き入力された文字が認識困難であって、「通」とも認識されうるとする。
【００９５】
また、伝票５００には、振込先として、伝票５００の預金種目記入欄を用いて、預金の種目「普通」が記入されている。また、伝票５００には、振込先として、伝票５００の口座番号記入欄を用いて、口座番号「１２３４５６７」が記入されている。
【００９６】
また、伝票５００には、伝票５００の金額記入欄を用いて、右詰めで、金額「￥１５４３８００」が記入されている。また、伝票５００には、伝票５００の振込指定日記入欄を用いて、振込指定日「２１年０１月１９日」が記入されている。
【００９７】
また、伝票５００には、金額「￥１５４３８００」を受け取る受取人「株式会社  小林ＡＢＣ工業企画」、金額「￥１５４３８００」を振り込んだ依頼人「依頼  人太郎」と住所「東京都○○区○○町１−２−３」などが記入されている。
【００９８】
（設定動作例１）
次に、図７を用いて、設定装置１００の設定動作例１について説明する。設定動作例１は、上述した、第１の処理例と、第４の処理例とを組み合わせた場合の例である。
【００９９】
図７は、設定動作例１の内容を示す説明図である。図７において、（１）設定装置１００は、図５および図６に示した伝票５００などを含む複数の伝票の各々の伝票に手書き入力された振込先を示す文字列の認識結果と認識率とを取得する。
【０１００】
（２）設定装置１００は、振込先を示す文字列の認識結果と、自行の金融機関名との一致判断を行う。ここで、設定装置１００は複数の伝票の各々の伝票が自行宛の伝票であるか他行宛の伝票であるかを判断する。図７に示す「自」は、自行宛の伝票であると判断された伝票を示すマークである。「他」は、他行宛の伝票であると判断された伝票を示すマークである。
【０１０１】
（３）ここで、設定装置１００は、複数の伝票のうち、他行宛の伝票であると判断した伝票を抽出する。（４）設定装置１００は、他行宛の伝票であると判断した伝票の処理順序を、自行で受け付けた順序が早いほど処理順序が早くなるように、設定する。
【０１０２】
（５）一方で、設定装置１００は、複数の伝票のうち、自行宛の伝票であると判断した伝票を抽出する。（６）設定装置１００は、自行宛の伝票であると判断した伝票の処理順序を、他行宛の伝票であると判断した伝票の処理順序よりも遅くなるように、かつ、文字列の認識率が低い伝票の処理順序が文字列の認識率が高い伝票の処理順序よりも早くなるように設定する。設定装置１００は、例えば、設定した処理順序を、キューの形式で、ＲＯＭ３０２に記憶する。
【０１０３】
（設定装置１００の設定動作例１における処理内容）
次に、図８〜図１０を用いて、設定装置１００の設定動作例１における処理内容の一例について説明する。
【０１０４】
〈自行宛の伝票であるか他行宛の伝票であるかの判断の一例〉
図８は、設定動作例１における自行宛の伝票であるか他行宛の伝票であるかの判断の一例を示す説明図である。設定装置１００は、受付番号「１」〜「１０」の各々の伝票に、振込先として、手書き入力された振込先を示す文字列の認識結果を取得して、自行宛の伝票であるか他行宛の伝票であるかを判断して、認識結果と判断結果とを対応付けて記憶する。
【０１０５】
設定装置１００は、例えば、受付番号「１」の伝票に振込先として手書き入力された文字列の認識結果として、受付番号「１」に対応付けて振込先となる金融機関名「ＸＹ通銀行」と支店名「東京」と種目「普通」と口座番号「１２３４５６７」とを取得する。次に、設定装置１００は、認識結果に含まれる金融機関名と、自行の金融機関名「ＸＹ通銀行」との一致判断を行う。ここで、設定装置１００は一致すると判断したため受付番号「１」の伝票を自行宛の伝票であると判断する。そして、設定装置１００は、認識結果と、判断結果とを対応付けて記憶する。
【０１０６】
また、設定装置１００は、受付番号「１」の伝票と同様に、受付番号「２」〜「４」の各々の伝票を自行宛の伝票であると判断する。そして、設定装置１００は、受付番号「２」〜「４」の各々の伝票に振込先として手書き入力された文字列の認識結果と、判断結果とを対応付けて記憶する。ここで、「？」は、文字認識に失敗したことを示すマークである。例えば、支店名「？京」は、支店名のうちの１文字目の文字認識に失敗したことを示す。
【０１０７】
また、設定装置１００は、受付番号「５」の伝票に振込先として手書き入力された文字列の認識結果として、受付番号「５」に対応付けて振込先となる金融機関名「ＸＹ？銀行」と支店名「東京」と種目「普通」と口座番号「１２３４５６７」とを取得する。次に、設定装置１００は、認識結果に含まれる金融機関名と、自行の金融機関名「ＸＹ通銀行」との一致判断を行う。ここで、設定装置１００は一致しないと判断したため受付番号「５」の伝票を他行宛の伝票であると判断する。そして、設定装置１００は、認識結果と、判断結果とを対応付けて記憶する。
【０１０８】
また、設定装置１００は、受付番号「５」の伝票と同様に、受付番号「６」の伝票を他行宛の伝票であると判断する。そして、設定装置１００は、受付番号「６」の伝票に振込先として手書き入力された文字列の認識結果と、判断結果とを対応付けて記憶する。
【０１０９】
また、設定装置１００は、受付番号「１」の伝票と同様に、受付番号「７」〜「９」の各々の伝票を自行宛の伝票であると判断する。そして、設定装置１００は、受付番号「７」〜「９」の各々の伝票に振込先として手書き入力された文字列の認識結果と、判断結果とを対応付けて記憶する。
【０１１０】
また、設定装置１００は、受付番号「５」の伝票と同様に、受付番号「１０」の伝票を他行宛の伝票であると判断する。そして、設定装置１００は、受付番号「１０」の伝票に振込先として手書き入力された文字列の認識結果と、判断結果とを対応付けて記憶する。
【０１１１】
〈認識率に基づく指標値の算出の一例〉
図９は、設定動作例１における認識率に基づく指標値の算出の一例を示す説明図である。設定装置１００は、受付番号「１」〜「１０」の各々の伝票に、振込先として、手書き入力された振込先を示す文字列の認識率を取得して、認識率に基づいて処理順序を設定するための指標値を算出して、記憶する。
【０１１２】
設定装置１００は、例えば、受付番号「１」の伝票に振込先として手書き入力された文字列の認識率を取得する。設定装置１００は、具体的には、受付番号「１」に対応付けて振込先となる金融機関名の認識率「９０」と支店名の認識率「９３」と種目の認識率「１００」と口座番号の認識率「８８」とを取得する。
【０１１３】
次に、設定装置１００は、指標値として、「（１００−金融機関名の認識率）＋（１００−支店名の認識率）＋０．１×｛（１００−種目の認識率）＋（１００−口座番号の認識率）｝」を算出する。設定装置１００は、具体的には、指標値として、「（１００−９０）＋（１００−９３）＋０．１×｛（１００−１００）＋（１００−８８）｝＝１８．２」を算出する。そして、設定装置１００は、認識率と、指標値とを対応付けて記憶する。
【０１１４】
また、設定装置１００は、受付番号「１」の伝票と同様に、受付番号「２」および「３」の各々の伝票に振込先として手書き入力された文字列の認識率を取得する。次に、設定装置１００は、受付番号「２」および「３」の各々の伝票について、指標値を算出する。そして、設定装置１００は、認識率と、指標値とを対応付けて記憶する。
【０１１５】
また、設定装置１００は、受付番号「４」の伝票に振込先として手書き入力された文字列の認識率を取得する。設定装置１００は、具体的には、受付番号「４」に対応付けて振込先となる金融機関名の認識率「８８」と支店名の認識率「−（認識失敗）」と種目の認識率「１００」と口座番号の認識率「９２」とを取得する。
【０１１６】
ここで、設定装置１００は、認識率「−（認識失敗）」は、認識率「０」として扱う。次に、設定装置１００は、指標値として、「（１００−８８）＋（１００−０）＋０．１×｛（１００−１００）＋（１００−９２）｝＝１１２．８」を算出する。そして、設定装置１００は、認識率と、指標値とを対応付けて記憶する。
【０１１７】
また、設定装置１００は、受付番号「１」の伝票と同様に、受付番号「５」〜「１０」の各々の伝票に振込先として手書き入力された文字列の認識率を取得する。次に、設定装置１００は、受付番号「５」〜「１０」の各々の伝票について、指標値を算出する。そして、設定装置１００は、認識率と、指標値とを対応付けて記憶する。
【０１１８】
〈各々の伝票の処理順序の設定の一例〉
図１０は、設定動作例１における各々の伝票の処理順序の設定の一例を示す説明図である。設定装置１００は、指標値と、自行宛の伝票であるか否かの判断結果とに基づいて、各々の伝票の処理順序を設定して、記憶する。
【０１１９】
設定装置１００は、自行宛の伝票の期限よりも他行宛の伝票の期限の方が早いため、他行宛の伝票であると判断された受付番号「５」、「６」、「１０」の各々の伝票の処理順序を、自行宛の伝票であると判断された伝票の処理順序より早くなるように設定する。
【０１２０】
設定装置１００は、例えば、他行宛の伝票であると判断された受付番号「５」の伝票の処理順序を、１番目に設定する。また、設定装置１００は、他行宛の伝票であると判断された受付番号「６」の伝票の処理順序を、２番目に設定する。また、設定装置１００は、例えば、他行宛の伝票であると判断された受付番号「１０」の伝票の処理順序を、３番目に設定する。
【０１２１】
次に、設定装置１００は、自行宛の伝票であると判断された受付番号「１」、「２」、「３」、「４」、「７」、「８」、「９」の各々の伝票の処理順序を、指標値が大きい伝票の方が指標値が小さい伝票よりも早くなるように設定する。
【０１２２】
設定装置１００は、例えば、自行宛の伝票であると判断され、最も指標値が大きい受付番号「４」の伝票の処理順序を、４番目に設定する。また、設定装置１００は、自行宛の伝票であると判断され、２番目に指標値が大きい受付番号「３」の伝票の処理順序を、５番目に設定する。
【０１２３】
また、設定装置１００は、自行宛の伝票であると判断され、３番目に指標値が大きい受付番号「８」の伝票の処理順序を、６番目に設定する。また、設定装置１００は、自行宛の伝票であると判断され、４番目に指標値が大きい受付番号「９」の伝票の処理順序を、７番目に設定する。また、設定装置１００は、自行宛の伝票であると判断され、５番目に指標値が大きい受付番号「１」の伝票の処理順序を、８番目に設定する。
【０１２４】
また、設定装置１００は、自行宛の伝票であると判断され、６番目に指標値が大きい受付番号「２」の伝票の処理順序を、９番目に設定する。また、設定装置１００は、自行宛の伝票であると判断され、７番目に指標値が大きい受付番号「７」の伝票の処理順序を、１０番目に設定する。
【０１２５】
これにより、設定装置１００は、指標値が大きい順に、自行宛の伝票であると判断された各々の伝票の処理順序を設定することができる。ここで、指標値が大きいことは、他行宛の伝票を自行宛の伝票と間違えた可能性が高いことに対応し、自行宛の伝票である可能性が低いことに対応する。したがって、換言すれば、設定装置１００は、他行宛の伝票を自行宛の伝票と間違えた可能性が高い順に、自行宛の伝票であると判断された伝票の処理順序を設定することができる。
【０１２６】
このため、設定装置１００の利用者は、処理順序に従って各々の伝票に手書き入力された文字列を確認することにより、他行宛の伝票を自行宛の伝票と間違えた伝票があっても当該伝票を早期に処理しやすくなる。このように、設定装置１００は、自行宛の伝票と間違えた他行宛の伝票が後回しにされる可能性を低減して、伝票の期限超過の発生を抑制することができる。
【０１２７】
また、設定装置１００は、他行宛の伝票の処理順序を、自行宛の伝票の処理順序よりも早くなるように設定することができる。このため、設定装置１００の利用者は、処理順序に従って自行宛の伝票よりも早く他行宛の伝票に対して振込処理を行うことができる。このように、設定装置１００は、他行宛の伝票を後回しにさせず、伝票の期限超過の発生を抑制することができる。
【０１２８】
ここでは、設定装置１００が、複数の伝票の各々の伝票の処理順序をまとめて設定する場合について説明したが、これに限らない。例えば、設定装置１００は、伝票の認識結果と認識率とを取得する都度、当該伝票と、処理順序を設定済みの伝票とについて処理順序を設定し直すようにしてもよい。
【０１２９】
（設定動作例２）
次に、図１１を用いて、設定装置１００の設定動作例２について説明する。設定動作例２は、第１の処理例と、第３の処理例と、第４の処理例とを組み合わせた場合の例である。
【０１３０】
図１１は、設定動作例２の内容を示す説明図である。図１１において、（１１）設定装置１００は、図５および図６に示した伝票５００などを含む複数の伝票の各々の伝票に手書き入力された振込先を示す文字列の認識結果と認識率とを取得する。
【０１３１】
（１２）設定装置１００は、振込先を示す文字列のうちの金融機関名の認識結果と、自行の金融機関名との一致判断を行う。ここで、設定装置１００は複数の伝票の各々の伝票が自行宛の伝票であるか他行宛の伝票であるかを判断する。図１１に示す「自」は、自行宛の伝票であると判断された伝票を示すマークである。「他」は、他行宛の伝票であると判断された伝票を示すマークである。
【０１３２】
（１３）ここで、設定装置１００は、複数の伝票のうち、他行宛の伝票であると判断した伝票を抽出する。（１４）設定装置１００は、他行宛の伝票であると判断した伝票の処理順序を、自行で受け付けた順序が早いほど処理順序が早くなるように、設定する。
【０１３３】
（１５）一方で、設定装置１００は、複数の伝票のうち、自行宛の伝票であると判断した伝票を抽出する。（１６）設定装置１００は、振込先を示す文字列のうちの支店名と種目と口座番号との組み合わせと、自行に存在する支店名と種目と口座番号との組み合わせとの一致判断を行う。ここで、設定装置１００は自行宛の伝票であると判断した各々の伝票が自行口座宛の伝票であるか否かを判断する。図１１に示す「自？」は、自行宛の伝票であると判断されたものの、自行口座宛の伝票ではないと判断された伝票を示すマークである。
【０１３４】
（１７）ここで、設定装置１００は、自行宛の伝票であると判断した伝票のうち、自行口座宛の伝票ではないと判断した伝票を抽出する。（１８）設定装置１００は、自行口座宛の伝票ではないと判断した伝票の処理順序を、他行宛の伝票であると判断した伝票の処理順序よりも遅くなるように、かつ、文字列の認識率が低い伝票の処理順序が文字列の認識率が高い伝票の処理順序よりも早くなるように設定する。
【０１３５】
（１９）一方で、設定装置１００は、自行宛の伝票であると判断した伝票のうち、自行口座宛の伝票であると判断した伝票を抽出する。（２０）設定装置１００は、自行口座宛の伝票であると判断した伝票の処理順序を、自行口座宛の伝票ではないと判断した伝票よりも遅くなるように、かつ、自行で受け付けた順序が早いほど処理順序が早くなるように、設定する。
【０１３６】
（設定装置１００の設定動作例２における処理内容）
次に、図１２および図１３を用いて、設定装置１００の設定動作例２における処理内容の一例について説明する。
【０１３７】
〈自行宛の伝票であるか他行宛の伝票であるかの判断の一例〉
設定装置１００は、図８と同様に、自行宛の伝票であるか他行宛の伝票であるかを判断して、受付番号「１」〜「１０」の各々の伝票に、振込先として、手書き入力された振込先を示す文字列の認識結果と、判断結果とを対応付けて記憶する。
【０１３８】
〈認識率に基づく指標値の算出の一例〉
図１２は、設定動作例２における認識率に基づく指標値の算出の一例を示す説明図である。設定装置１００は、図９と同様に、受付番号「１」〜「１０」の各々の伝票に、振込先として、手書き入力された振込先を示す文字列の認識率を取得して、認識率に基づいて処理順序を設定するための指標値を算出する。
【０１３９】
また、設定装置１００は、受付番号「１」〜「１０」の伝票のうち、自行宛の伝票であると判断した伝票が、自行口座宛の伝票であるか否かを判断する。そして、設定装置１００は、受付番号「１」〜「１０」の各々の伝票に、振込先として、手書き入力された振込先を示す文字列の認識率と、指標値と、判断結果とを対応付けて記憶する。
【０１４０】
設定装置１００は、例えば、図９と同様に、受付番号「１」の伝票についての指標値を算出する。また、設定装置１００は、認識結果に含まれる支店名「東京」と種目「普通」と口座番号「１２３４５６７」との組み合わせと、自行に存在する支店名と種目と口座番号との組み合わせとの一致判断を行う。ここで、設定装置１００は、一致すると判断したため受付番号「１」の伝票を自行口座宛の伝票であると判断する。そして、設定装置１００は、認識率と、指標値と、判断結果とを対応付けて記憶する。
【０１４１】
また、設定装置１００は、図９と同様に、受付番号「２」の伝票についての指標値を算出する。また、設定装置１００は、認識結果に含まれる支店名「東東」と種目「普通」と口座番号「１２３４５６７」との組み合わせと、自行に存在する支店名と種目と口座番号との組み合わせとの一致判断を行う。ここで、設定装置１００は支店名が一致しないと判断したため受付番号「２」の伝票を自行口座宛の伝票ではないと判断する。そして、設定装置１００は、認識率と、指標値と、判断結果とを対応付けて記憶する。
【０１４２】
また、設定装置１００は、図９と同様に、受付番号「３」および「４」の各々の伝票についての指標値を算出する。また、設定装置１００は、受付番号「２」の伝票と同様に、支店名や口座番号が一致しないと判断したため受付番号「３」および「４」の各々の伝票を自行口座宛の伝票ではないと判断する。そして、設定装置１００は、認識率と、指標値と、判断結果とを対応付けて記憶する。
【０１４３】
また、設定装置１００は、図９と同様に、受付番号「５」および「６」の各々の伝票についての指標値を算出する。そして、設定装置１００は、認識率と、指標値とを対応付けて記憶する。
【０１４４】
また、設定装置１００は、図９と同様に、受付番号「７」の伝票についての指標値を算出する。また、設定装置１００は、受付番号「１」の伝票と同様に、一致すると判断したため受付番号「７」の伝票を自行口座宛の伝票であると判断する。そして、設定装置１００は、認識率と、指標値と、判断結果とを対応付けて記憶する。
【０１４５】
また、設定装置１００は、図９と同様に、受付番号「８」および「９」の各々の伝票についての指標値を算出する。また、設定装置１００は、受付番号「２」の伝票と同様に、支店名が一致しないと判断したため受付番号「８」および「９」の各々の伝票を自行口座宛の伝票ではないと判断する。そして、設定装置１００は、認識率と、指標値と、判断結果とを対応付けて記憶する。
【０１４６】
また、設定装置１００は、図９と同様に、受付番号「９」の伝票についての指標値を算出する。また、設定装置１００は、受付番号「２」の伝票と同様に、口座番号が一致しないと判断したため受付番号「９」の伝票を自行口座宛の伝票ではないと判断する。そして、設定装置１００は、認識率と、指標値と、判断結果とを対応付けて記憶する。
【０１４７】
また、設定装置１００は、図９と同様に、受付番号「１０」の伝票についての指標値を算出する。そして、設定装置１００は、認識率と、指標値とを対応付けて記憶する。
【０１４８】
〈各々の伝票の処理順序の設定の一例〉
図１３は、設定動作例２における各々の伝票の処理順序の設定の一例を示す説明図である。設定装置１００は、指標値と、自行宛の伝票であるか否かの判断結果と、自行口座宛の伝票であるか否かの判断結果とに基づいて、各々の伝票の処理順序を設定して、記憶する。
【０１４９】
設定装置１００は、自行宛の伝票の期限よりも他行宛の伝票の期限の方が早いため、他行宛の伝票であると判断された受付番号「５」、「６」、「１０」の各々の伝票の処理順序を、自行宛の伝票であると判断された伝票の処理順序より早くなるように設定する。
【０１５０】
設定装置１００は、例えば、他行宛の伝票であると判断された受付番号「５」の伝票の処理順序を、１番目に設定する。また、設定装置１００は、他行宛の伝票であると判断された受付番号「６」の伝票の処理順序を、２番目に設定する。また、設定装置１００は、例えば、他行宛の伝票であると判断された受付番号「１０」の伝票の処理順序を、３番目に設定する。
【０１５１】
次に、設定装置１００は、自行宛の伝票であるが、自行口座宛の伝票ではないと判断された受付番号「２」、「３」、「４」、「８」、「９」の各々の伝票の処理順序を設定する。設定装置１００は、例えば、各々の伝票の処理順序を、他行宛の伝票であると判断された伝票より遅く、かつ、指標値が大きい伝票の方が指標値が小さい伝票よりも早くなるように設定する。
【０１５２】
設定装置１００は、例えば、自行口座宛の伝票ではないと判断され、最も指標値が大きい受付番号「４」の伝票の処理順序を、４番目に設定する。また、設定装置１００は、自行口座宛の伝票ではないと判断され、２番目に指標値が大きい受付番号「３」の伝票の処理順序を、５番目に設定する。
【０１５３】
また、設定装置１００は、自行口座宛の伝票ではないと判断され、３番目に指標値が大きい受付番号「８」の伝票の処理順序を、６番目に設定する。また、設定装置１００は、自行口座宛の伝票ではないと判断され、４番目に指標値が大きい受付番号「９」の伝票の処理順序を、７番目に設定する。また、設定装置１００は、自行口座宛の伝票ではないと判断され、５番目に指標値が大きい受付番号「２」の伝票の処理順序を、８番目に設定する。
【０１５４】
そして、設定装置１００は、自行宛の伝票であり、自行口座宛の伝票であると判断された受付番号「１」、「７」の各々の伝票の処理順序を、自行口座宛の伝票ではないと判断された伝票より遅く、かつ、自行で受け付けられた順になるように設定する。
【０１５５】
設定装置１００は、例えば、自行口座宛の伝票であると判断された受付番号「１」の伝票の処理順序を、９番目に設定する。また、設定装置１００は、自行口座宛の伝票であると判断された受付番号「７」の伝票の処理順序を、１０番目に設定する。
【０１５６】
これにより、設定装置１００は、自行口座宛の伝票ではないと判断した伝票の処理順序を、自行口座宛の伝票であると判断した伝票の処理順序よりも早くなるように設定することができる。ここで、自行宛の伝票であるにもかかわらず自行口座宛の伝票ではないと判断されることは、自行口座宛の伝票であると判断される場合よりも、他行宛の伝票を自行宛の伝票と間違えた可能性が高いことに対応し、自行宛の伝票である可能性が低いことに対応する。
【０１５７】
したがって、換言すれば、設定装置１００は、自行宛の伝票のうち、他行宛の伝票を自行宛の伝票と間違えた可能性が高い伝票の処理順序を早くすることができる。このため、設定装置１００の利用者は、処理順序に従って各々の伝票に手書き入力された文字列を確認することにより、他行宛の伝票を自行宛の伝票と間違えた伝票があっても、当該伝票を早期に処理しやすくなる。このように、設定装置１００は、自行宛の伝票と間違えた他行宛の伝票が後回しにされる可能性を低減して、伝票の期限超過の発生を抑制することができる。
【０１５８】
また、設定装置１００は、指標値が大きい順に、自行口座宛の伝票ではないと判断された各々の伝票の処理順序を設定することができる。ここで、指標値が大きいことは、他行宛の伝票を自行宛の伝票と間違えた可能性が高いことに対応し、自行宛の伝票である可能性が低いことに対応する。したがって、換言すれば、設定装置１００は、他行宛の伝票を自行宛の伝票と間違えた可能性が高い順に、自行口座宛の伝票ではないと判断された各々の伝票の処理順序を設定することができる。
【０１５９】
このため、設定装置１００の利用者は、処理順序に従って各々の伝票に手書き入力された文字列を確認することにより、他行宛の伝票を自行宛の伝票と間違えた伝票があっても当該伝票を早期に処理しやすくなる。このように、設定装置１００は、自行宛の伝票と間違えた他行宛の伝票が後回しにされる可能性を低減して、伝票の期限超過の発生を抑制することができる。
【０１６０】
また、設定装置１００は、他行宛の伝票の処理順序を、自行宛の伝票の処理順序よりも早くなるように設定することができる。このため、設定装置１００の利用者は、処理順序に従って自行宛の伝票よりも早く他行宛の伝票に対して振込処理を行うことができる。このように、設定装置１００は、他行宛の伝票を後回しにさせず、伝票の期限超過の発生を抑制することができる。
【０１６１】
（設定動作例３）
次に、図１４を用いて、設定装置１００の設定動作例３について説明する。設定動作例３は、第１の処理例と、第３の処理例と、第４の処理例と、第５の処理例とを組み合わせた場合の例である。
【０１６２】
図１４は、設定動作例３の内容を示す説明図である。図１４において、（２１）設定装置１００は、図５および図６に示した伝票５００などを含む複数の伝票の各々の伝票に手書き入力された振込先を示す文字列の認識結果と認識率とを取得する。
【０１６３】
（２２）設定装置１００は、振込先を示す文字列のうちの金融機関名の認識結果と、自行の金融機関名との一致判断を行う。ここで、設定装置１００は複数の伝票の各々の伝票が自行宛の伝票であるか他行宛の伝票であるかを判断する。図１４に示す「自」は、自行宛の伝票であると判断された伝票を示すマークである。「他」は、他行宛の伝票であると判断された伝票を示すマークである。
【０１６４】
（２３）ここで、設定装置１００は、複数の伝票のうち、他行宛の伝票であると判断した伝票を抽出する。（２４）設定装置１００は、他行宛の伝票であると判断した伝票の処理順序を、文字列の認識率が高い伝票の処理順序が文字列の認識率が低い伝票の処理順序よりも早くなるように設定する。
【０１６５】
（２５）一方で、設定装置１００は、複数の伝票のうち、自行宛の伝票であると判断した伝票を抽出する。（２６）設定装置１００は、振込先を示す文字列のうちの支店名と種目と口座番号との組み合わせと、自行に存在する支店名と種目と口座番号との組み合わせとの一致判断を行う。ここで、設定装置１００は自行宛の伝票であると判断した各々の伝票が自行口座宛の伝票であるか否かを判断する。図１４に示す「自？」は、自行宛の伝票であると判断されたものの、自行口座宛の伝票ではないと判断された伝票を示すマークである。
【０１６６】
（２７）ここで、設定装置１００は、自行宛の伝票であると判断した伝票のうち、自行口座宛の伝票ではないと判断した伝票を抽出する。（２８）設定装置１００は、自行口座宛の伝票ではないと判断した伝票の処理順序を、他行宛の伝票であると判断した伝票の処理順序よりも遅くなるように、かつ、文字列の認識率が低い伝票の処理順序が文字列の認識率が高い伝票の処理順序よりも早くなるように設定する。
【０１６７】
（２９）一方で、設定装置１００は、自行宛の伝票であると判断した伝票のうち、自行口座宛の伝票であると判断した伝票を抽出する。（３０）設定装置１００は、自行口座宛の伝票であると判断した伝票の処理順序を、自行口座宛の伝票ではないと判断した伝票よりも遅くなるように、かつ、自行で受け付けた順序が早いほど処理順序が早くなるように、設定する。
【０１６８】
（設定装置１００の設定動作例３における処理内容）
次に、図１５を用いて、設定装置１００の設定動作例３における処理内容の一例について説明する。
【０１６９】
〈自行宛の伝票であるか他行宛の伝票であるかの判断の一例〉
設定装置１００は、図８と同様に、自行宛の伝票であるか他行宛の伝票であるかを判断して、受付番号「１」〜「１０」の各々の伝票に、振込先として、手書き入力された振込先を示す文字列の認識結果と、判断結果とを対応付けて記憶する。
【０１７０】
〈認識率に基づく指標値の算出の一例〉
設定装置１００は、図１２と同様に、受付番号「１」〜「１０」の各々の伝票に、振込先として、手書き入力された振込先を示す文字列の認識率を取得して、認識率に基づいて処理順序を設定するための指標値を算出する。また、設定装置１００は、図１２と同様に、受付番号「１」〜「１０」の伝票のうち、自行宛の伝票であると判断した伝票が、自行口座宛の伝票であるか否かを判断する。そして、設定装置１００は、受付番号「１」〜「１０」の各々の伝票に、振込先として、手書き入力された振込先を示す文字列の認識率と、指標値と、判断結果とを対応付けて記憶する。
【０１７１】
〈各々の伝票の処理順序の設定の一例〉
図１５は、設定動作例３における各々の伝票の処理順序の設定の一例を示す説明図である。設定装置１００は、指標値と、自行宛の伝票であるか否かの判断結果と、自行口座宛の伝票であるか否かの判断結果とに基づいて、各々の伝票の処理順序を設定して、記憶する。
【０１７２】
設定装置１００は、自行宛の伝票の期限よりも他行宛の伝票の期限の方が早いため、他行宛の伝票であると判断された受付番号「５」、「６」、「１０」の各々の伝票の処理順序を設定する。設定装置１００は、例えば、各々の伝票の処理順序を、自行宛の伝票であると判断された伝票の処理順序より早く、かつ、指標値が小さい伝票の方が指標値が大きい伝票よりも早くなるように設定する。
【０１７３】
設定装置１００は、例えば、他行宛の伝票であると判断され、最も指標値が小さい受付番号「６」の伝票の処理順序を、１番目に設定する。また、設定装置１００は、他行宛の伝票であると判断され、２番目に指標値が小さい受付番号「１０」の伝票の処理順序を、２番目に設定する。また、設定装置１００は、例えば、他行宛の伝票であると判断され、３番目に指標値が小さい受付番号「５」の伝票の処理順序を、３番目に設定する。
【０１７４】
次に、設定装置１００は、自行宛の伝票であるが、自行口座宛の伝票ではないと判断された受付番号「２」、「３」、「４」、「８」、「９」の各々の伝票の処理順序を設定する。設定装置１００は、例えば、各々の伝票の処理順序を、他行宛の伝票であると判断された伝票より遅く、かつ、指標値が大きい伝票の方が指標値が小さい伝票よりも早くなるように設定する。
【０１７５】
設定装置１００は、例えば、図１３と同様に、受付番号「４」の伝票の処理順序を、４番目に設定する。また、設定装置１００は、図１３と同様に、受付番号「３」の伝票の処理順序を、５番目に設定する。
【０１７６】
また、設定装置１００は、図１３と同様に、受付番号「８」の伝票の処理順序を、６番目に設定する。また、設定装置１００は、図１３と同様に、受付番号「９」の伝票の処理順序を、７番目に設定する。また、設定装置１００は、図１３と同様に、受付番号「２」の伝票の処理順序を、８番目に設定する。
【０１７７】
そして、設定装置１００は、自行宛の伝票であり、自行口座宛の伝票であると判断された受付番号「１」、「７」の各々の伝票の処理順序を、自行口座宛の伝票ではないと判断された伝票より遅く、かつ、自行で受け付けられた順になるように設定する。
【０１７８】
設定装置１００は、例えば、図１３と同様に、受付番号「１」の伝票の処理順序を、９番目に設定する。また、設定装置１００は、図１３と同様に、受付番号「７」の伝票の処理順序を、１０番目に設定する。
【０１７９】
これにより、設定装置１００は、設定動作例２と同様に、自行口座宛の伝票ではないと判断した伝票の処理順序を、自行口座宛の伝票であると判断した伝票の処理順序よりも早くなるように設定することができる。このため、設定装置１００の利用者は、他行宛の伝票を自行宛の伝票と間違えた伝票があっても、当該伝票を早期に処理しやすくなる。このように、設定装置１００は、自行宛の伝票と間違えた他行宛の伝票が後回しにされる可能性を低減して、伝票の期限超過の発生を抑制することができる。
【０１８０】
また、設定装置１００は、設定動作例２と同様に、指標値が大きい順に、自行口座宛の伝票ではないと判断された各々の伝票の処理順序を設定することができる。このため、設定装置１００の利用者は、他行宛の伝票を自行宛の伝票と間違えた伝票があっても当該伝票を早期に処理しやすくなる。このように、設定装置１００は、自行宛の伝票と間違えた他行宛の伝票が後回しにされる可能性を低減して、伝票の期限超過の発生を抑制することができる。
【０１８１】
また、設定装置１００は、設定動作例２と同様に、他行宛の伝票の処理順序を、自行宛の伝票の処理順序よりも早くなるように設定することができる。このため、設定装置１００の利用者は、処理順序に従って自行宛の伝票よりも早く他行宛の伝票に対して振込処理を行うことができる。このように、設定装置１００は、他行宛の伝票を後回しにさせず、伝票の期限超過の発生を抑制することができる。
【０１８２】
また、設定装置１００は、指標値が小さい順に、他行宛の伝票であると判断された各々の伝票の処理順序を設定することができる。ここで、指標値が小さいことは、自行宛の伝票を他行宛の伝票と間違えた可能性が低いことに対応し、他行宛の伝票である可能性が高いことに対応する。
【０１８３】
したがって、換言すれば、設定装置１００は、自行宛の伝票を他行宛の伝票と間違えた可能性が低い順に、他行宛の伝票の処理順序を設定することができる。このため、設定装置１００の利用者は、処理順序に従って他行宛の伝票を早期に処理しやすくなる。このように、設定装置１００は、他行宛の伝票を後回しにさせず、伝票の期限超過の発生を抑制することができる。
【０１８４】
（設定動作例４）
次に、図１６を用いて、設定装置１００の設定動作例４について説明する。設定動作例４は、第１の処理例と、第３の処理例と、第４の処理例と、第５の処理例と、第７の処理例とを組み合わせた場合の例である。
【０１８５】
図１６は、設定動作例４の内容を示す説明図である。図１６において、（３１）設定装置１００は、図５および図６に示した伝票５００などを含む複数の伝票の各々の伝票に手書き入力された振込先を示す文字列の認識結果と認識率とを取得する。
【０１８６】
（３２）設定装置１００は、振込先を示す文字列のうちの金融機関名の認識結果と、自行の金融機関名との一致判断を行う。ここで、設定装置１００は複数の伝票の各々の伝票が自行宛の伝票であるか他行宛の伝票であるかを判断する。図１６に示す「自」は、自行宛の伝票であると判断された伝票を示すマークである。「他」は、他行宛の伝票であると判断された伝票を示すマークである。
【０１８７】
（３３）ここで、設定装置１００は、複数の伝票のうち、他行宛の伝票であると判断した伝票を抽出する。（３４）設定装置１００は、振込先を示す文字列のうちの支店名と種目と口座番号との組み合わせと、他行に存在する支店名と種目と口座番号との組み合わせとの一致判断を行う。ここで、設定装置１００は他行宛の伝票であると判断した各々の伝票が他行口座宛の伝票であるか否かを判断する。図１６に示す「他？」は、他行宛の伝票であると判断されたものの、他行口座宛の伝票ではないと判断された伝票を示すマークである。
【０１８８】
（３５）ここで、設定装置１００は、他行宛の伝票であると判断した伝票のうち、他行口座宛の伝票であると判断した伝票を抽出する。（３６）設定装置１００は、他行口座宛の伝票であると判断した伝票の処理順序を、他行口座宛の伝票ではないと判断した伝票よりも早くなるように、かつ、自行で受け付けた順序が早いほど処理順序が早くなるように、設定する。
【０１８９】
（３７）一方で、設定装置１００は、他行宛の伝票であると判断した伝票のうち、他行口座宛の伝票ではないと判断した伝票を抽出する。（３８）設定装置１００は、他行口座宛の伝票ではないと判断した伝票の処理順序を、他行宛の伝票であると判断した伝票の処理順序よりも遅くなるように、かつ、文字列の認識率が高い伝票の処理順序が文字列の認識率が低い伝票の処理順序よりも早くなるように設定する。
【０１９０】
（３９）一方で、設定装置１００は、複数の伝票のうち、自行宛の伝票であると判断した伝票を抽出する。（４０）設定装置１００は、振込先を示す文字列のうちの支店名と種目と口座番号との組み合わせと、自行に存在する支店名と種目と口座番号との組み合わせとの一致判断を行う。ここで、設定装置１００は自行宛の伝票であると判断した各々の伝票が自行口座宛の伝票であるか否かを判断する。図１６に示す「自？」は、自行宛の伝票であると判断されたものの、自行口座宛の伝票ではないと判断された伝票を示すマークである。
【０１９１】
（４１）ここで、設定装置１００は、自行宛の伝票であると判断した伝票のうち、自行口座宛の伝票ではないと判断した伝票を抽出する。（４２）設定装置１００は、自行口座宛の伝票ではないと判断した伝票の処理順序を、他行宛の伝票であると判断した伝票の処理順序よりも遅くなるように、かつ、文字列の認識率が低い伝票の処理順序が文字列の認識率が高い伝票の処理順序よりも早くなるように設定する。
【０１９２】
（４３）一方で、設定装置１００は、自行宛の伝票であると判断した伝票のうち、自行口座宛の伝票であると判断した伝票を抽出する。（４４）設定装置１００は、自行口座宛の伝票であると判断した伝票の処理順序を、自行口座宛の伝票ではないと判断した伝票よりも遅くなるように、かつ、自行で受け付けた順序が早いほど処理順序が早くなるように、設定する。
【０１９３】
（設定装置１００の設定動作例４における処理内容）
次に、図１７および図１８を用いて、設定装置１００の設定動作例４における処理内容の一例について説明する。
【０１９４】
〈自行宛の伝票であるか他行宛の伝票であるかの判断の一例〉
設定装置１００は、図８と同様に、自行宛の伝票であるか他行宛の伝票であるかを判断して、受付番号「１」〜「１０」の各々の伝票に、振込先として、手書き入力された振込先を示す文字列の認識結果と、判断結果とを対応付けて記憶する。
【０１９５】
〈認識率に基づく指標値の算出の一例〉
図１７は、設定動作例４における認識率に基づく指標値の算出の一例を示す説明図である。設定装置１００は、図９と同様に、受付番号「１」〜「１０」の各々の伝票に、振込先として、手書き入力された振込先を示す文字列の認識率を取得して、認識率に基づいて処理順序を設定するための指標値を算出する。
【０１９６】
また、設定装置１００は、図１２と同様に、受付番号「１」〜「１０」の伝票のうち、自行宛の伝票であると判断した伝票が、自行口座宛の伝票であるか否かを判断する。また、設定装置１００は、受付番号「１」〜「１０」の伝票のうち、他行宛の伝票であると判断した伝票が、他行口座宛の伝票であるか否かを判断する。
【０１９７】
そして、設定装置１００は、受付番号「１」〜「１０」の各々の伝票に、振込先として、手書き入力された振込先を示す文字列の認識率と、指標値と、判断結果とを対応付けて記憶する。
【０１９８】
設定装置１００は、例えば、図９と同様に、受付番号「１」の伝票についての指標値を算出する。また、設定装置１００は、図１２と同様に、受付番号「１」の伝票を自行口座宛の伝票であると判断する。そして、設定装置１００は、認識率と、指標値と、判断結果とを対応付けて記憶する。
【０１９９】
また、設定装置１００は、図９と同様に、受付番号「２」〜「４」の各々の伝票についての指標値を算出する。また、設定装置１００は、図１２と同様に、受付番号「２」〜「４」の各々の伝票を自行口座宛の伝票ではないと判断する。そして、設定装置１００は、認識率と、指標値と、判断結果とを対応付けて記憶する。
【０２００】
また、設定装置１００は、図９と同様に、受付番号「５」の伝票についての指標値を算出する。また、設定装置１００は、認識結果に含まれる支店名「東京」と種目「普通」と口座番号「１２３４５６７」との組み合わせと、他行に存在する支店名と種目と口座番号との組み合わせとの一致判断を行う。このとき、設定装置１００は、複数の他行が存在する場合は、複数の他行のうちの少なくともいずれかの他行に存在する支店名と種目と口座番号との組み合わせと一致すると判断したときに、他行口座宛の伝票であると判断する。また、設定装置１００は、複数の他行のうち、認識結果に含まれる金融機関名「ＸＹ通銀行」に対応する他行に存在する支店名と種目と口座番号との組み合わせと一致すると判断したときに、他行口座宛の伝票であると判断してもよい。ここで、設定装置１００は一致すると判断したため受付番号「５」の伝票を他行口座宛の伝票であると判断する。そして、設定装置１００は、認識率と、指標値と、判断結果とを対応付けて記憶する。
【０２０１】
また、設定装置１００は、図９と同様に、受付番号「６」の伝票についての指標値を算出する。また、設定装置１００は、認識結果に含まれる支店名「東京」と種目「普通」と口座番号「１７３４５６７」との組み合わせと、他行に存在する支店名と種目と口座番号との組み合わせとの一致判断を行う。ここで、設定装置１００は一致しないと判断したため受付番号「６」の伝票を他行口座宛の伝票ではないと判断する。そして、設定装置１００は、認識率と、指標値と、判断結果とを対応付けて記憶する。
【０２０２】
また、設定装置１００は、図９と同様に、受付番号「７」の伝票についての指標値を算出する。また、設定装置１００は、図１２と同様に、受付番号「７」の伝票を自行口座宛の伝票であると判断する。そして、設定装置１００は、認識率と、指標値と、判断結果とを対応付けて記憶する。
【０２０３】
また、設定装置１００は、図９と同様に、受付番号「８」および「９」の各々の伝票についての指標値を算出する。また、設定装置１００は、図１２と同様に、受付番号「８」および「９」の各々の伝票を自行口座宛の伝票ではないと判断する。そして、設定装置１００は、認識率と、指標値と、判断結果とを対応付けて記憶する。
【０２０４】
また、設定装置１００は、図９と同様に、受付番号「１０」の伝票についての指標値を算出する。また、設定装置１００は、受付番号「６」の伝票と同様に、一致しないと判断したため受付番号「１０」の伝票を他行口座宛の伝票ではないと判断する。そして、設定装置１００は、認識率と、指標値と、判断結果とを対応付けて記憶する。
【０２０５】
〈各々の伝票の処理順序の設定の一例〉
図１８は、設定動作例４における各々の伝票の処理順序の設定の一例を示す説明図である。設定装置１００は、指標値と、自行宛の伝票であるか否かの判断結果と、自行口座宛の伝票であるか否かの判断結果と、他行口座宛の伝票であるか否かの判断結果とに基づいて、各々の伝票の処理順序を設定して、記憶する。
【０２０６】
設定装置１００は、他行宛の伝票であり、他行口座宛の伝票であると判断された受付番号「５」の伝票の処理順序を設定する。設定装置１００は、例えば、伝票の処理順序を、他行口座宛の伝票ではないと判断された伝票と、自行宛の伝票であると判断された伝票との処理順序より早く、かつ、自行で受け付けられた順になるように設定する。
【０２０７】
設定装置１００は、例えば、他行宛の伝票であり、他行口座宛の伝票であると判断された受付番号「５」の伝票の処理順序を、１番目に設定する。
【０２０８】
また、設定装置１００は、他行宛の伝票であるが、他行口座宛の伝票ではないと判断された受付番号「６」、「１０」の各々の伝票の処理順序を設定する。設定装置１００は、例えば、各々の伝票の処理順序を、自行宛の伝票であると判断された伝票の処理順序より早く、かつ、指標値が小さい伝票の方が指標値が大きい伝票よりも早くなるように設定する。
【０２０９】
設定装置１００は、例えば、他行宛の伝票であるが、他行口座宛の伝票ではないと判断され、最も指標値が小さい受付番号「６」の伝票の処理順序を、２番目に設定する。また、設定装置１００は、他行宛の伝票であるが、他行口座宛の伝票ではないと判断され、２番目に指標値が小さい受付番号「１０」の伝票の処理順序を、３番目に設定する。
【０２１０】
次に、設定装置１００は、自行宛の伝票であるが、自行口座宛の伝票ではないと判断された受付番号「２」、「３」、「４」、「８」、「９」の各々の伝票の処理順序を設定する。設定装置１００は、例えば、各々の伝票の処理順序を、他行宛の伝票であると判断された伝票より遅く、かつ、指標値が大きい伝票の方が指標値が小さい伝票よりも早くなるように設定する。
【０２１１】
設定装置１００は、例えば、図１３と同様に、受付番号「４」の伝票の処理順序を、４番目に設定する。また、設定装置１００は、図１３と同様に、受付番号「３」の伝票の処理順序を、５番目に設定する。
【０２１２】
また、設定装置１００は、図１３と同様に、受付番号「８」の伝票の処理順序を、６番目に設定する。また、設定装置１００は、図１３と同様に、受付番号「９」の伝票の処理順序を、７番目に設定する。また、設定装置１００は、図１３と同様に、受付番号「２」の伝票の処理順序を、８番目に設定する。
【０２１３】
そして、設定装置１００は、自行宛の伝票であり、自行口座宛の伝票であると判断された受付番号「１」、「７」の各々の伝票の処理順序を、自行口座宛の伝票ではないと判断された伝票より遅く、かつ、自行で受け付けられた順になるように設定する。
【０２１４】
設定装置１００は、例えば、図１３と同様に、受付番号「１」の伝票の処理順序を、９番目に設定する。また、設定装置１００は、図１３と同様に、受付番号「７」の伝票の処理順序を、１０番目に設定する。
【０２１５】
これにより、設定装置１００は、設定動作例２と同様に、自行口座宛の伝票ではないと判断した伝票の処理順序を、自行口座宛の伝票であると判断した伝票の処理順序よりも早くなるように設定することができる。このため、設定装置１００の利用者は、他行宛の伝票を自行宛の伝票と間違えた伝票があっても、当該伝票を早期に処理しやすくなる。このように、設定装置１００は、自行宛の伝票と間違えた他行宛の伝票が後回しにされる可能性を低減して、伝票の期限超過の発生を抑制することができる。
【０２１６】
また、設定装置１００は、設定動作例２と同様に、指標値が大きい順に、自行口座宛の伝票ではないと判断された各々の伝票の処理順序を設定することができる。このため、設定装置１００の利用者は、他行宛の伝票を自行宛の伝票と間違えた伝票があっても当該伝票を早期に処理しやすくなる。このように、設定装置１００は、自行宛の伝票と間違えた他行宛の伝票が後回しにされる可能性を低減して、伝票の期限超過の発生を抑制することができる。
【０２１７】
また、設定装置１００は、設定動作例２と同様に、他行宛の伝票の処理順序を、自行宛の伝票の処理順序よりも早くなるように設定することができる。このため、設定装置１００の利用者は、処理順序に従って自行宛の伝票よりも早く他行宛の伝票に対して振込処理を行うことができる。このように、設定装置１００は、他行宛の伝票を後回しにさせず、伝票の期限超過の発生を抑制することができる。
【０２１８】
また、設定装置１００は、他行口座宛の伝票ではないと判断した伝票の処理順序を、他行口座宛の伝票であると判断した伝票の処理順序よりも遅くなるように設定することができる。ここで、他行宛の伝票であると判断されたにもかかわらず、他行口座宛の伝票ではないと判断されることは、他行宛の伝票を自行宛の伝票と間違えた可能性が高いことに対応し、他行宛の伝票である可能性が低いことに対応する。
【０２１９】
したがって、換言すれば、設定装置１００は、他行宛の伝票のうち、他行宛の伝票である可能性が高い伝票の処理順序を早くすることができる。このため、設定装置１００の利用者は、処理順序に従って各々の伝票に手書き入力された文字列を確認することにより、他行宛の伝票を早期に処理しやすくなる。このように、設定装置１００は、他行宛の伝票を後回しにさせず、伝票の期限超過の発生を抑制することができる。
【０２２０】
また、設定装置１００は、指標値が小さい順に、他行口座宛の伝票であると判断された各々の伝票の処理順序を設定することができる。ここで、指標値が小さいことは、自行宛の伝票を他行宛の伝票と間違えた可能性が低いことに対応し、他行宛の伝票である可能性が高いことに対応する。
【０２２１】
したがって、換言すれば、設定装置１００は、他行宛の伝票である可能性が高い順に、他行口座宛の伝票であると判断された各々の伝票の処理順序を設定することができる。このため、設定装置１００の利用者は、処理順序に従って他行宛の伝票を早期に処理しやすくなる。このように、設定装置１００は、他行宛の伝票を後回しにさせず、伝票の期限超過の発生を抑制することができる。
【０２２２】
（設定処理手順）
次に、図１９および図２０を用いて、設定装置１００の設定処理手順の一例について説明する。
【０２２３】
図１９および図２０は、設定処理手順の一例を示すフローチャートである。図１９において、設定装置１００は、受付番号「ｎ（例えば、ｎは自然数）」の伝票のイメージデータを受け付ける（ステップＳ１９０１）。
【０２２４】
次に、設定装置１００は、受付番号「ｎ」の伝票のイメージデータに基づいて、伝票に手書き入力された文字列の認識結果を取得する（ステップＳ１９０２）。そして、設定装置１００は、認識結果に含まれる振込先の金融機関名が自行であるか否かを判断する（ステップＳ１９０３）。ここで、自行ではない場合（ステップＳ１９０３：Ｎｏ）、設定装置１００は、図２０のステップＳ２００１の処理に移行する。
【０２２５】
一方で、自行である場合（ステップＳ１９０３：Ｙｅｓ）、設定装置１００は、認識結果に含まれる振込先の支店名、種目、口座番号が、自行に存在する支店名、種目、口座番号と一致するものであるか否かを判断する（ステップＳ１９０４）。
【０２２６】
ここで、一致するものではない場合（ステップＳ１９０４：Ｎｏ）、設定装置１００は、受付番号「ｎ」の伝票を、自行宛の伝票であり、かつ、自行口座宛の伝票ではないと判断する（ステップＳ１９０５）。次に、設定装置１００は、受付番号「ｎ」の伝票に対して、図２１に後述する算出処理を実行し（ステップＳ１９０６）、ステップＳ１９０８の処理に移行する。
【０２２７】
一方で、一致するものである場合（ステップＳ１９０４：Ｙｅｓ）、設定装置１００は、受付番号「ｎ」の伝票を、自行宛の伝票であり、自行口座宛の伝票であると判断して（ステップＳ１９０７）、ステップＳ１９０８の処理に移行する。
【０２２８】
ここで、図２０の説明に移行する。図２０において、設定装置１００は、認識結果に含まれる振込先の支店名、種目、口座番号が、他行に存在する支店名、種目、口座番号と一致するものであるか否かを判断する（ステップＳ２００１）。
【０２２９】
ここで、一致するものではない場合（ステップＳ２００１：Ｎｏ）、設定装置１００は、受付番号「ｎ」の伝票を、他行宛の伝票であり、かつ、他行口座宛の伝票ではないと判断する（ステップＳ２００２）。次に、設定装置１００は、受付番号「ｎ」の伝票に対して、図２１に後述する算出処理を実行し（ステップＳ２００３）、図１９のステップＳ１９０８の処理に移行する。
【０２３０】
一方で、一致するものである場合（ステップＳ２００１：Ｙｅｓ）、設定装置１００は、受付番号「ｎ」の伝票を、他行宛の伝票であり、他行口座宛の伝票であると判断して（ステップＳ２００４）、図１９のステップＳ１９０８の処理に移行する。
【０２３１】
図１９に戻り、ステップＳ１９０８において、設定装置１００は、受付番号「ｎ」の伝票についての判断結果、および評価値を記憶する（ステップＳ１９０８）。次に、設定装置１００は、複数の伝票の各々の伝票の処理順序を設定する（ステップＳ１９０９）。そして、設定装置１００は、設定処理を終了する。これにより、設定装置１００は、他行宛の伝票である可能性が高い順になるように複数の伝票の各々の伝票の処理順序を設定することができる。
【０２３２】
（算出処理手順）
次に、図２１を用いて、ステップＳ１９０６およびステップＳ２００３に示した、設定装置１００の算出処理手順の一例について説明する。
【０２３３】
図２１は、算出処理手順の一例を示すフローチャートである。図２１において、設定装置１００は、受付番号「ｎ」の伝票のイメージデータに基づいて、伝票に手書き入力された文字列のうちの金融機関名と支店名との認識率を取得する（ステップＳ２１０１）。
【０２３４】
次に、設定装置１００は、金融機関名と支店名の認識率に基づく指標値を算出する（ステップＳ２１０２）。そして、設定装置１００は、受付番号「ｎ」の伝票のイメージデータに基づいて、伝票に手書き入力された文字列のうちの種目と口座番号との認識率を取得する（ステップＳ２１０３）。
【０２３５】
次に、設定装置１００は、種目と口座番号との認識率に基づく指標値を算出する（ステップＳ２１０４）。そして、設定装置１００は、金融機関名と支店名の認識率に基づく指標値と、種目と口座番号との認識率に基づく指標値との合計を算出し（ステップＳ２１０５）、算出処理を終了する。これにより、設定装置１００は、複数の伝票の各々の伝票の処理順序を設定するための指標値を算出することができる。
【０２３６】
以上説明したように、設定装置１００によれば、複数の伝票の各々の伝票に手書き入力された振込先を示す文字列の認識結果と認識率とに基づいて、複数の伝票のうちの少なくとも所定の金融機関を振込先と判断した伝票の処理順序を設定することができる。これにより、設定装置１００は、誤って異なる種類の伝票として認識してしまった可能性が高い伝票の処理順序を早くして、誤って異なる種類の伝票として認識してしまった伝票を早期に発見しやすくして、伝票の期限超過の発生を抑制することができる。
【０２３７】
また、設定装置１００によれば、文字列の認識結果から複数の伝票を受け付けた金融機関を振込先と判断した伝票のうち、文字列の認識率が低い伝票の処理順序を、文字列の認識率が高い伝票の処理順序よりも早くなるように設定することができる。
【０２３８】
これにより、設定装置１００は、文字列の認識率が低く、他行宛の伝票を自行宛の伝票と間違えた可能性が高い順に、自行宛の伝票であると判断した各々の伝票の処理順序を設定することができる。このため、設定装置１００の利用者は、処理順序に従って、各々の伝票に手書き入力された文字列を確認することにより、自行宛の伝票であると判断された伝票の中に他行宛の伝票を自行宛の伝票と間違えた伝票があっても、当該伝票を早期に発見しやすくなる。このように、設定装置１００は、自行宛の伝票と間違えた他行宛の伝票が後回しにされる可能性を低減して、伝票の期限超過の発生を抑制することができる。
【０２３９】
また、設定装置１００によれば、複数の伝票を受け付けた金融機関を振込先と判断した伝票のうち、文字列の認識率が所定値より低い伝票の処理順序を、文字列の認識率が所定値より高い伝票の処理順序よりも早くなるように設定することができる。
【０２４０】
これにより、設定装置１００は、自行宛の伝票であると判断した伝票のうち、他行宛の伝票を自行宛の伝票と間違えた可能性が高い伝票のグループと、他行宛の伝票を自行宛の伝票と間違えた可能性が低い伝票のグループとに分けることができる。このため、設定装置１００の利用者は、処理順序に従って、他行宛の伝票を自行宛の伝票と間違えた可能性が高い伝票のグループに含まれる各々の伝票に手書き入力された文字列を確認することができる。そして、設定装置１００の利用者は、他行宛の伝票を自行宛の伝票と間違えた伝票があっても、当該伝票を早期に発見しやすくなり、伝票の期限超過の発生を抑制することができる。
【０２４１】
また、設定装置１００によれば、複数の伝票を受け付けた金融機関に存在しない口座を振込先と判断した伝票の処理順序を、複数の伝票を受け付けた金融機関に存在する口座を振込先と判断した伝票の処理順序よりも早くなるように設定することができる。
【０２４２】
これにより、設定装置１００は、自行に存在しない口座を振込先にしている伝票を、自行に存在する口座を振込先にしている伝票よりも早くなるように、自行宛の伝票であると判断した各々の伝票の処理順序を設定することができる。このため、設定装置１００の利用者は、処理順序に従って、各々の伝票に手書き入力された文字列を確認することができる。そして、設定装置１００の利用者は、自行宛の伝票であると判断された伝票の中に他行宛の伝票を自行宛の伝票と間違えた伝票があっても、当該伝票を早期に発見しやすくなり、伝票の期限超過の発生を抑制することができる。
【０２４３】
また、設定装置１００によれば、文字列の認識結果から複数の伝票を受け付けた金融機関とは異なる金融機関を振込先と判断した伝票を、文字列の認識結果から複数の伝票を受け付けた金融機関を振込先と判断した伝票よりも早い処理順序に設定することができる。
【０２４４】
これにより、設定装置１００は、他行宛の伝票の処理順序が、自行宛の伝票の処理順序よりも早くなるように、複数の伝票の各々の伝票の処理順序を設定することができる。このため、設定装置１００の利用者は、処理順序に従って、各々の伝票に手書き入力された文字列を確認することにより、他行宛の伝票に対して自行宛の伝票よりも早期に振込処理を行いやすくなる。
【０２４５】
また、設定装置１００によれば、複数の伝票を受け付けた金融機関とは異なる金融機関を振込先と判断した伝票のうち、文字列の認識率が高い伝票の処理順序を、文字列の認識率が低い伝票の処理順序よりも早くなるように設定することができる。
【０２４６】
これにより、設定装置１００は、文字列の認識率が高く、自行宛の伝票を他行宛の伝票と間違えた可能性が低い順に、他行宛の伝票であると判断した各々の伝票の処理順序を設定することができる。このため、設定装置１００の利用者は、処理順序に従って、各々の伝票に手書き入力された文字列を確認することにより、他行宛の伝票であると判断された伝票の中に自行宛の伝票を他行宛の伝票と間違えた伝票があっても、当該伝票を後回しにしやすくなる。
【０２４７】
また、設定装置１００によれば、複数の伝票を受け付けた金融機関とは異なる金融機関を振込先と判断した伝票のうち、文字列の認識率が所定値より高い伝票の処理順序を文字列の認識率が所定値より低い伝票の処理順序より早くなるように設定することができる。
【０２４８】
これにより、設定装置１００は、他行宛の伝票であると判断した伝票のうち、自行宛の伝票を他行宛の伝票と間違えた可能性が低い伝票のグループと、自行宛の伝票を他行宛の伝票と間違えた可能性が高い伝票のグループとに分けることができる。このため、設定装置１００の利用者は、処理順序に従って、自行宛の伝票を他行宛の伝票と間違えた可能性が低い伝票のグループに含まれる各々の伝票に手書き入力された文字列を確認することができる。そして、設定装置１００の利用者は、自行宛の伝票を他行宛の伝票と間違えた伝票があっても、当該伝票を後回しにしやすくなる。
【０２４９】
また、設定装置１００によれば、複数の伝票を受け付けた金融機関とは異なる金融機関に存在する口座を振込先と判断した伝票の処理順序を、異なる金融機関に存在しない口座を振込先と判断した伝票の処理順序よりも早くなるように設定することができる。
【０２５０】
これにより、設定装置１００は、他行に存在しない口座を振込先にしている伝票を、他行に存在する口座を振込先にしている伝票よりも早くなるように、他行宛の伝票であると判断した各々の伝票の処理順序を設定することができる。このため、設定装置１００の利用者は、処理順序に従って、各々の伝票に手書き入力された文字列を確認することにより、他行宛の伝票であると判断された伝票の中に自行宛の伝票を他行宛の伝票と間違えた伝票があっても、当該伝票を後回しにしやすくなる。
【０２５１】
ここで、従来の情報処理装置２０１が、複数の伝票の各々の伝票を自行で受け付けた順に、各々の伝票の処理順序を設定する場合が考えられる。しかしながら、この場合、誤って異なる種類の伝票として認識してしまった可能性が高い伝票があっても、後回しにされることがある。
【０２５２】
一方で、本実施の形態にかかる設定装置１００によれば、複数の伝票の各々の伝票に手書き入力された振込先を示す文字列の認識結果と認識率とに基づいて複数の伝票のうちの少なくとも所定の金融機関を振込先と判断した伝票の処理順序を設定することができる。これにより、設定装置１００は、誤って異なる種類の伝票として認識してしまった可能性が高い伝票の処理順序を早くすることができる。このため、設定装置１００の利用者は、誤って異なる種類の伝票として認識してしまった伝票を早期に発見しやすくなり、伝票の期限超過の発生を抑制することができる。
【０２５３】
なお、本実施の形態で説明した設定方法は、予め用意されたプログラムをパーソナル・コンピュータやワークステーションなどのコンピュータで実行することにより、実現することができる。本設定プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ）、ＤＶＤ（Ｄｉｇｉｔａｌ  Ｖｅｒｓａｔｉｌｅ  Ｄｉｓｃ）などのコンピュータで読み取り可能な記録媒体に記録され、コンピュータによって記録媒体から読み出されることによって実行される。また本設定プログラムは、インターネットなどのネットワークを介して配布してもよい。
【０２５４】
上述した実施の形態に関し、さらに以下の付記を開示する。
【０２５５】
（付記１）コンピュータが、
複数の伝票の各々に手書き入力された振込先を示す文字列の認識結果と認識率とに基づいて、前記複数の伝票のうちの少なくとも所定の金融機関を振込先と判断した伝票の処理順序を設定する、
処理を実行することを特徴とする設定方法。
【０２５６】
（付記２）前記設定する処理は、
前記文字列の認識結果から前記複数の伝票を受け付けた金融機関を振込先と判断した伝票のうち、文字列の認識率が低い伝票の処理順序を、文字列の認識率が高い伝票の処理順序よりも早くなるように設定することを特徴とする付記１に記載の設定方法。
【０２５７】
（付記３）前記設定する処理は、
前記文字列の認識結果から前記複数の伝票を受け付けた金融機関を振込先と判断した伝票のうち、文字列の認識率が所定値より低い伝票の処理順序を、文字列の認識率が前記所定値より高い伝票の処理順序よりも早くなるように設定することを特徴とする付記１に記載の設定方法。
【０２５８】
（付記４）前記振込先を示す文字列は、振込先の金融機関と振込先の口座とを示す文字列を含み、
前記設定する処理は、
前記文字列の認識結果から前記複数の伝票を受け付けた金融機関を振込先と判断した伝票のうち、前記複数の伝票を受け付けた金融機関に存在しない口座を振込先と判断した伝票の処理順序を、前記複数の伝票を受け付けた金融機関に存在する口座を振込先と判断した伝票の処理順序よりも早くなるように設定することを特徴とする付記１〜３のいずれか一つに記載の設定方法。
【０２５９】
（付記５）前記設定する処理は、
前記文字列の認識結果から前記複数の伝票を受け付けた金融機関とは異なる金融機関を振込先と判断した伝票を、文字列の認識結果から前記複数の伝票を受け付けた金融機関を振込先と判断した伝票よりも早い処理順序に設定することを特徴とする付記１〜４のいずれか一つに記載の設定方法。
【０２６０】
（付記６）前記設定する処理は、
前記文字列の認識結果から前記複数の伝票を受け付けた金融機関とは異なる金融機関を振込先と判断した伝票のうち、文字列の認識率が高い伝票の処理順序を、文字列の認識率が低い伝票の処理順序よりも早くなるように設定することを特徴とする付記１〜５のいずれか一つに記載の設定方法。
【０２６１】
（付記７）前記設定する処理は、
前記文字列の認識結果から前記複数の伝票を受け付けた金融機関とは異なる金融機関を振込先と判断した伝票のうち、文字列の認識率が所定値より高い伝票の処理順序を、文字列の認識率が前記所定値より低い伝票の処理順序よりも早くなるように設定することを特徴とする付記１〜６のいずれか一つに記載の設定方法。
【０２６２】
（付記８）前記振込先を示す文字列は、振込先の金融機関と振込先の口座とを示す文字列を含み、
前記設定する処理は、
前記文字列の認識結果から前記複数の伝票を受け付けた金融機関とは異なる金融機関に存在する口座を振込先と判断した伝票のうち、前記異なる金融機関に存在する口座を振込先と判断した伝票の処理順序を、前記異なる金融機関に存在しない口座を振込先と判断した伝票の処理順序よりも早くなるように設定することを特徴とする付記１〜７のいずれか一つに記載の設定方法。
【０２６３】
（付記９）前記振込先を示す文字列は、振込先の金融機関と振込先の口座とを示す文字列を含み、
前記コンピュータが、
前記各々の伝票に処理順序を設定するための指標値を、前記振込先を示す文字列として前記各々の伝票に手書き入力された金融機関を示す文字列と口座を示す文字列との各々の認識率が低いほど指標値が高くなるように算出する処理を実行し、
前記設定する処理は、前記振込先を示す文字列の認識結果と、認識率に基づく指標値とに基づいて、前記複数の伝票のうちの少なくとも所定の金融機関を振込先と判断した伝票の処理順序を設定することを特徴とする付記１〜８のいずれか一つに記載の設定方法。
【０２６４】
（付記１０）前記算出する処理は、振込先を示す文字列として前記各々の伝票に手書き入力された金融機関を示す文字列の認識率に重みを付けて、指標値を算出することを特徴とする付記９に記載の設定方法。
【０２６５】
（付記１１）コンピュータに、
複数の伝票の各々に手書き入力された振込先を示す文字列の認識結果と認識率とに基づいて、前記複数の伝票のうちの少なくとも所定の金融機関を振込先と判断した伝票の処理順序を設定する、
処理を実行させることを特徴とする設定プログラム。
【０２６６】
（付記１２）複数の伝票の各々に手書き入力された振込先を示す文字列の認識結果と認識率とに基づいて、前記複数の伝票のうちの少なくとも所定の金融機関を振込先と判断した伝票の処理順序を設定する制御部を有することを特徴とする設定システム。
【符号の説明】
【０２６７】
１００  設定装置
４０１  受付部
４０２  設定部
４０３  出力部
【図１】
2015219535.tif 000003
【図２】
2015219535.tif 000004
【図３】
2015219535.tif 000005
【図４】
2015219535.tif 000006
【図５】
2015219535.tif 000007
【図６】
2015219535.tif 000008
【図７】
2015219535.tif 000009
【図８】
2015219535.tif 000010
【図９】
2015219535.tif 000011
【図１０】
2015219535.tif 000012
【図１１】
2015219535.tif 000013
【図１２】
2015219535.tif 000014
【図１３】
2015219535.tif 000015
【図１４】
2015219535.tif 000016
【図１５】
2015219535.tif 000017
【図１６】
2015219535.tif 000018
【図１７】
2015219535.tif 000019
【図１８】
2015219535.tif 000020
【図１９】
2015219535.tif 000021
【図２０】
2015219535.tif 000022
【図２１】
2015219535.tif 000023